(57)【要約】【課題】飛び越し走査映像信号を順次走査映像信号に変換する際にコーミング現象による画質劣化を防止できる映像信号処理装置と処理方法、及び映像信号表示装置を提供する。【解決手段】映像信号のフレーム間相関の強さを示す信号ｃｎｔを生成する相関検出手段１２０と、映像信号がテレシネシーケンスの繰り返し条件を満たすか否かを示すテレシネシーケンス検出信号ｔｃｉ０を生成するシーケンス検出手段１４と、テレシネシーケンスの出現頻度に関するフラグｔｃｉｆｌｇを生成する出現頻度検出手段１５と、テレシネシーケンス検出信号ｔｃｉ０及び予測制御フラグｔｃｉｆｌｇに基づくテレシネ検出信号ｔｃｉを出力する予測制御手段１６と、テレシネ検出信号ｔｃｉに基づいて複数種類の補間信号Ｉｍ，Ｉｔのいずれかを選択する補間信号生成手段１１０と、遅延した映像信号Ｒ及び補間信号Ｉから順次走査映像信号Ｐｒｏｇを生成する倍速変換手段９とを有する。【選択図】        図１
2006094257.tif 000002
【特許請求の範囲】
【請求項１】
飛び越し走査映像信号を順次走査映像信号に変換する映像信号処理装置であって、
上記飛び越し走査映像信号をフィールド単位で遅延させるフィールド遅延手段と、
上記飛び越し走査映像信号の注目フィールドと、上記注目フィールドより１フレーム前のフィールドとの間の相関を検出し、この検出結果に基づくフレーム間の相関の強さを示す信号を出力する相関検出手段と、
上記フレーム間の相関の強さを示す信号に基づいて、上記飛び越し走査映像信号がテレシネ変換された映像信号のフィールドシーケンスの条件を満たすか否かを判断し、この判断結果に基づくテレシネシーケンス検出信号を生成して出力するシーケンス検出手段と、
上記フレーム間の相関の強さを示す信号に基づいて、上記テレシネ変換された映像信号のフィールドシーケンスの条件を満たすフィールドシーケンスの出現頻度を計測し、この計測結果に基づく予測制御信号を出力する出現頻度検出手段と、
上記テレシネシーケンス検出信号及び上記予測制御信号に基づくテレシネ検出信号を出力する予測制御手段と、
上記飛び越し走査映像信号及び上記フィールド遅延手段で遅延した映像信号に基づいて複数種類の補間信号を生成し、上記テレシネ検出信号に基づいて上記複数種類の補間信号の内のいずれかを選択して出力する補間信号生成手段と、
上記飛び越し走査映像信号及び上記補間信号生成手段から出力された上記補間信号に基づいて上記順次走査映像信号を生成する変換手段と
を有することを特徴とする映像信号処理装置。
【請求項２】
上記相関検出手段から出力される上記フレーム間の相関の強さを示す信号は、上記飛び越し走査映像信号の注目フィールド内における所定の領域又はすべての領域の画素と、上記注目フィールドより１フレーム前のフィールドにおける同一位置の画素との間の差分値が所定の差分値判定用の閾値以上となる画素の数の累積値に対応する信号であることを特徴とする請求項１に記載の映像信号処理装置。
【請求項３】
上記シーケンス検出手段は、５フィールド分の上記フレーム間の相関の強さを示す信号により、２−３プルダウン方式でテレシネ変換された映像信号のフィールドシーケンスの条件を満たすか否かを判断し、この判断結果に応じた値を上記テレシネシーケンス検出信号として出力することを特徴とする請求項１又は２のいずれかに記載の映像信号処理装置。
【請求項４】
上記シーケンス検出手段は、
上記フレーム間の相関の強さを示す信号を所定の相関判定用の閾値と比較し、この比較結果に基づいて上記注目フィールドが静止画フィールド又は動画フィールドのいずれであるかを検出する静止画検出手段と、
上記静止画検出手段の検出結果に基づいて、動画フィールドを示すフィールドの連続数を検出する動画フィールドカウント手段と、
上記静止画検出手段の検出結果及び上記動画フィールドカウント手段の検出結果に基づいて、テレシネ変換された映像信号のフィールドシーケンスの位相を検出し、この位相を補間位相として出力するシーケンス位相検出手段と
を有することを特徴とする請求項３に記載の映像信号処理装置。
【請求項５】
上記シーケンス検出手段は、
上記静止画検出手段の検出結果、上記動画フィールドカウント手段の検出結果、及び上記フレーム間の相関の強さを示す信号に基づいて、上記飛び越し走査映像信号がテレシネ変換された映像信号のフィールドシーケンスの条件を満たさない場合を検出するテレシネ解除検出手段と、
上記静止画検出手段の検出結果、上記動画フィールドカウント手段の検出結果、及び上記テレシネ解除検出手段の検出結果に基づいて、上記テレシネシーケンス検出信号を生成して出力するテレシネシーケンス判定手段と
を有することを特徴とする請求項４に記載の映像信号処理装置。
【請求項６】
上記シーケンス位相検出手段は、
上記静止画検出手段の検出結果及び上記動画フィールドカウント手段の検出結果に基づいて、動画フィールドが４フィールド連続した後、静止画フィールドとなるフィールドのタイミングに同期して、５フィールド周期で繰り返す繰り返し信号を生成するテレシネシーケンス位相カウント手段と、
上記繰り返し信号に基づいて２−３プルダウン方式のテレシネ変換の変換位相を示す上記補間位相を生成して出力する補間位相フラグ生成手段と
を有することを特徴とする請求項４又は５のいずれかに記載の映像信号処理装置。
【請求項７】
上記テレシネ解除検出手段は、
上記静止画検出手段の検出結果及び上記動画フィールドカウント手段の検出結果に基づいて、動画フィールドが所定フィールド以上連続する場合を検出する動画連続検出手段と、
上記静止画検出手段の検出結果に基づいて、上記飛び越し走査映像信号における静止画フィールドを示すフィールドの連続数を検出する静止画連続検出手段と、
上記静止画連続検出手段により検出された静止画フィールド連続数が所定フィールド以上連続する場合を検出する連続フィールド数比較手段と、
上記静止画検出手段の検出結果、上記テレシネシーケンス位相カウント手段から出力される上記繰り返し信号、及び上記テレシネシーケンス検出信号に基づいて、上記飛び越し走査映像信号におけるシーケンス中の静止画フィールドの位相ずれを検出するシーケンスずれ検出手段と、
上記フレーム間の相関の強さを示す信号に基づいて、上記飛び越し走査映像信号におけるシーンチェンジの起こったフィールドを検出するシーンチェンジ検出手段と、
上記動画連続検出手段の検出結果、上記連続フィールド数比較手段の検出結果、上記シーケンスずれ検出手段の検出結果、及び上記シーンチェンジ検出手段の検出結果の内の少なくとも１つ以上の検出結果に基づいて、上記飛び越し走査映像信号がテレシネ変換された映像信号のフィールドシーケンスの条件を満たさない場合を判定し、上記テレシネシーケンス検出信号を、上記飛び越し走査映像信号がテレシネ変換された映像信号のフィールドシーケンスの条件を満たさないことを示す値にさせるための解除信号を出力する解除信号生成手段と
を有することを特徴とする請求項５に記載の映像信号処理装置。
【請求項８】
上記シーケンスずれ検出手段は、
上記静止画検出手段の検出結果、上記テレシネシーケンス位相カウント手段から出力される上記繰り返し信号、及び上記テレシネシーケンス検出信号に基づいて、テレシネ変換された映像信号のフィールドシーケンス内の所定フィールド位置において、上記静止画検出手段が検出した静止画フィールドの数をカウントするシーケンス内静止画カウント手段と、
上記シーケンス内静止画カウント手段から出力されたカウント値を所定の閾値と比較し、この比較結果に基づいて上記静止画フィールドの位相ずれを出力する静止画フィールド数比較手段と
を有ることを特徴とする請求項７記載の映像信号処理装置。
【請求項９】
上記シーンチェンジ検出手段は、上記フレーム間の相関の強さを示す信号が示す値を相関に関する所定の閾値と比較し、上記フレーム間の相関の強さを示す信号が示す値が上記相関に関する所定の閾値よりも小さいと判定されたときに、上記飛び越し走査映像信号におけるシーンチェンジの起こったフィールドを検出することを特徴とする請求項７記載の映像信号処理装置。
【請求項１０】
上記テレシネシーケンス判定手段は、
上記静止画検出手段の検出結果、上記動画フィールドカウント手段の検出結果、及び上記テレシネ解除検出手段の検出結果に基づいて、動画フィールドが４フィールド連続した後、静止画フィールドとなるフィールドシーケンスの連続数をカウントし、上記テレシネ解除検出手段からの解除信号に基づいて上記フィールドシーケンスの連続数のカウント値をリセットするテレシネ起動カウンタと、
上記テレシネ起動カウンタによる上記フィールドシーケンスの連続数のカウント値をフィールドシーケンスの連続数に関する所定の閾値と比較し、この比較結果を上記テレシネシーケンス検出信号として出力するシーケンス検出信号生成手段と
を有することを特徴とする請求項７に記載の映像信号処理装置。
【請求項１１】
上記出現頻度検出手段は、
上記静止画検出手段の検出結果、上記動画フィールドカウント手段の検出結果、及び上記テレシネシーケンス位相カウント手段から出力される上記繰り返し信号に基づいて、テレシネ変換された映像信号のフィールドシーケンスの条件を満たす場合を検出した回数をカウントするシーケンス判定回数検出手段と、
上記シーケンス判定回数検出手段によるテレシネ変換された映像信号のフィールドシーケンスの条件を満たす場合を検出した回数のカウント値を所定のシーケンス判定回数検出用の閾値と比較し、この比較結果をテレシネ変換された映像信号であることの確からしさ示す指標である上記予測制御信号として出力する確からしさ判定手段と
を有することを特徴とする請求項６に記載の映像信号処理装置。
【請求項１２】
上記シーケンス判定回数検出手段は、
上記テレシネシーケンス位相カウント手段から出力される上記繰り返し信号に基づいて、５フィールドごとに上記静止画検出手段からの出力が連続して静止画フィールドとなる場合を検出する静止画連続検出手段と、
上記静止画検出手段の検出結果、上記動画フィールドカウント手段の検出結果、上記テレシネシーケンス位相カウント手段から出力される上記繰り返し信号、及び上記静止連続画検出手段の検出結果に基づいて、所定の加算値及び減算値を用いた加減算を行う出現頻度カウント手段と
を有することを特徴とする請求項１１に記載の映像信号処理装置。
【請求項１３】
上記出現頻度カウント手段は、
上記加算値及び上記減算値のそれぞれの値を設定するカウント値調整手段と、
上記出現頻度カウント手段におけるカウント値の最大値を設定する最大値設定手段と、
上記出現頻度カウント手段におけるカウントを初期化して所定の初期値を設定するカウント値初期化手段と
を有することを特徴とする請求項１０に記載の映像信号処理装置。
【請求項１４】
上記予測制御手段は、
上記予測制御信号に基づき上記フィールドシーケンスの出現頻度が所定の有効カウント値以上であるか否かを判定し、
上記フィールドシーケンスの出現頻度が上記有効カウント値以上であるときには上記テレシネシーケンス検出信号を上記テレシネ検出信号として出力し、
上記フィールドシーケンスの出現頻度が上記有効カウント値未満であるときには所定の固定値を上記テレシネ検出信号として出力する
ことを特徴とする請求項１から１３までのいずれかに記載の映像信号処理装置。
【請求項１５】
上記補間信号生成手段は、
動き適応補間処理に用いる第１の補間信号を生成して出力する動き適応補間処理手段と、
テレシネ変換された映像信号に対する補間処理に用いる第２の補間信号を生成して出力するテレシネ補間処理手段と、
上記予測制御手段から出力されるテレシネ検出信号に基づいて、上記第１の補間信号又は上記第２の補間信号のいずれかを選択して出力する選択手段と
を有することを特徴とする請求項１から１４までのいずれかに記載の映像信号処理装置。
【請求項１６】
飛び越し走査映像信号を順次走査映像信号に変換する映像信号処理方法であって、
上記飛び越し走査映像信号をフィールド単位で遅延させるステップと、
上記飛び越し走査映像信号の注目フィールドと、上記注目フィールドより１フレーム前のフィールドとの間の相関を検出し、フレーム間の相関の強さを示す信号を出力するステップと、
上記フレーム間の相関の強さを示す信号に基づいて、上記飛び越し走査映像信号がテレシネ変換された映像信号のフィールドシーケンスの条件を満たすか否かを判断し、この判断結果に基づくテレシネシーケンス検出信号を生成して出力するステップと、
上記フレーム間の相関の強さを示す信号に基づいて、上記テレシネ変換された映像信号のフィールドシーケンスの条件を満たすフィールドシーケンスの出現頻度を計測し、この計測結果に基づく予測制御信号を出力するステップと、
上記テレシネシーケンス検出信号及び上記予測制御信号に基づくテレシネ検出信号を出力するステップと、
上記テレシネ検出信号に基づいて上記飛び越し走査映像信号及び上記遅延した飛び越し走査映像信号に基づいて生成される複数種類の補間走査線信号の内からいずれかを選択して出力するステップと、
上記飛び越し走査映像信号及び上記選択された補間走査線信号に基づいて、上記順次走査映像信号を生成するステップと
を有することを特徴とする映像信号処理方法。
【請求項１７】
請求項１から１５までのいずれか１項に記載の映像信号処理装置と、
映像を表示する表示手段と、
上記映像信号処理装置から出力された上記順次走査の映像信号に基づく映像を上記表示手段に表示させる表示処理回路と
を有することを特徴とする映像信号表示装置。
【発明の詳細な説明】
【技術分野】
【０００１】
本発明は、飛び越し走査（インターレース）映像信号を順次走査（プログレッシブ）映像信号に変換する映像信号処理装置、映像信号処理方法、及びこの映像信号処理装置又は方法を適用した映像信号表示装置に関し、特に、映画フィルム等の信号から２−３プルダウン方式でテレシネ変換されたインターレース映像信号をプログレッシブ映像信号に変換する際に生じることのある画質劣化の防止に関するものである。
【背景技術】
【０００２】
映画フィルム等は毎秒２４コマ（フレーム）として撮影されているのに対し、ＮＴＳＣ方式信号やハイビジョン信号等の標準的なテレビジョン信号は、飛び越し走査（インターレース）で毎秒６０フィールドの映像信号となっている。従って、映画フィルム等の信号を、テレビジョン放送の番組として放送する場合やビデオパッケージにする場合には、毎秒２４フレームの信号を毎秒６０フィールドのテレビジョン放送用のインターレース映像信号に変換（「テレシネ変換」という。）している。テレシネ変換においては、一般に、第１フレーム（奇数番目のコマ）を２フィールドに、第２フレーム（偶数番目のコマ）を３フィールドに対応するよう２−３プルダウン変換し、５フィールドに１回、２フィールド前と同一のフィールドを繰り返すようにする。２−３プルダウン変換により、毎秒２４コマの映像信号を毎秒６０フィールドのインターレース映像信号（テレシネ変換された映像信号であり、「テレシネ映像信号」という。）に変換することができる。なお、テレシネ変換においては、第１フレームを３フィールドに、第２フレームを２フィールドに対応するよう３−２プルダウン変換する場合もあるが、３−２プルダウン変換は２−３プルダウン変換と実質的には同じ処理である。このため、本出願において「２−３プルダウン変換」として説明する場合には、２−３プルダウン方式によるテレシネ変換の場合だけではなく、３−２プルダウン方式によるテレシネ変換の場合をも含むものとする。
【０００３】
一方、近年、インターレースのテレビジョン信号を高画質で表示する際に、インターレース映像信号をプログレッシブ映像信号に変換（「ＩＰ変換」という。）する処理が行われる。ＩＰ変換においては、一般に、映像が静止画像である場合は、時間的に隣接するフィールドの対応する走査線の画素をはめ込むことにより補間（フィールド間補間）が行われ、映像が動画像である場合は、同一フィールド内の隣接走査線における画素により補間信号を生成する（フィールド内補間）という動き適応ＩＰ変換が行われる。さらに、ＩＰ変換を行う場合には、処理する映像信号がテレシネ映像信号であるか否かと２−３プルダウンの位相（同一フレームから変換されたフィールドの方向）を検出（「テレシネ検出」という。）し、テレシネ映像信号に対しては、２−３プルダウンの位相に応じて、同じフレームから変換されたトップフィールドとボトムフィールドにより２−３プルダウン方式でテレシネ変換される前のプログレッシブ映像信号を復元し、テレビジョン用のプログレッシブ映像信号に変換する。以下、テレシネ映像信号に対するＩＰ変換を「テレシネ補間」という。
【０００４】
２−３プルダウン方式によるテレシネ映像信号をＩＰ変換する従来の映像信号処理装置においては、５フィールドに１回、２フィールド前と同一のフィールドが繰り返して変換される。このため、１フレーム前（すなわち、２フィールド前）のフィールドとの間の差分が、５フィールドに１回の周期で、ゼロ又は所定の閾値以下となる。この特性を利用してテレシネ検出を行い、テレシネ補間する装置が提案されている（例えば、特許文献１、２、３参照）。
【０００５】
また、テレシネ検出における誤検出を防止し、安定にテレシネ映像信号のＩＰ変換を行うため、５フィールドで繰り返されるテレシネ映像信号のシーケンスにおける画面一致の回数をカウントし、このカウント値に基づいて入力された映像信号がテレシネ映像信号であるか否かを判断する装置の提案もある（例えば、特許文献４参照）。
【０００６】
さらに、テレシネ映像信号におけるフレーム間差分の５フィールド毎の繰り返しシーケンスを検出すると共に、テレシネ映像信号ではない所定のパターン外れを５フィールド内の差分情報から検出している装置の提案もある（例えば、特許文献５参照）。
【０００７】
さらにまた、各フィールドで５フィールド前までのパターンを逐次判定すると共に、シーンチェンジ点を示す信号を外部又は入力信号からの検出により得て、シーンチェンジ点を示す信号を考慮して所定のパターン外れを求め、テレシネ映像信号を精度よく検出する装置の提案もある（例えば、特許文献６参照）。
【０００８】
【特許文献１】特許第３３９８３９６号公報（図１、図２）
【特許文献２】特開２００２−３３０４０８号公報（図１、図２）
【特許文献３】特開２００２−３３５４４１号公報（図１）
【特許文献４】特開２００２−２０４４３３号公報（図１）
【特許文献５】特開２００３−７８９２６号公報（図１、図２）
【特許文献６】特開２００３−１７９８８４号公報（図１）
【発明の開示】
【発明が解決しようとする課題】
【０００９】
しかし、上記従来の装置においては、ＴＶ放送等のための編集、ＣＭ（コマーシャル）やテロップの挿入等により、テレシネ映像信号の途中で編集点が頻繁に存在する場合や、テレシネ映像信号の途中でテレシネ映像信号以外の信号が混在する場合等に、テレシネ検出において、２−３プルダウン方式でテレシネ変換された映像信号のフィールドシーケンス（位相）のずれや抜け等が発生し、シーケンスの不連続を検出できないことがある。そのため、上記従来の装置においては、誤った方向のフィールドにおける補間信号を用いてＩＰ変換してしまい、出力画像が櫛状に割れるコーミング現象による画質劣化が生じ、良好なＩＰ変換を行うことができないという問題がある。
【００１０】
そこで、本発明は、上記従来技術の課題を解決するためになされたものであり、その目的は、２−３プルダウン方式で変換された飛び越し走査映像信号を順次走査映像信号に変換する処理において、コーミング現象による画質劣化が生じないようにすることができる映像信号処理装置、映像信号処理方法、及び映像信号表示装置を提供することにある。
【課題を解決するための手段】
【００１１】
本発明の映像信号処理装置は、飛び越し走査映像信号を順次走査映像信号に変換する映像信号処理装置であって、上記飛び越し走査映像信号をフィールド単位で遅延させるフィールド遅延手段と、上記飛び越し走査映像信号の注目フィールドと、上記注目フィールドより１フレーム前のフィールドとの間の相関を検出し、この検出結果に基づくフレーム間の相関の強さを示す信号を出力する相関検出手段と、上記フレーム間の相関の強さを示す信号に基づいて、上記飛び越し走査映像信号がテレシネ変換された映像信号のフィールドシーケンスの条件を満たすか否かを判断し、この判断結果に基づくテレシネシーケンス検出信号を生成して出力するシーケンス検出手段と、上記フレーム間の相関の強さを示す信号に基づいて、上記テレシネ変換された映像信号のフィールドシーケンスの条件を満たすフィールドシーケンスの出現頻度を計測し、この計測結果に基づく予測制御信号を出力する出現頻度検出手段と、上記テレシネシーケンス検出信号及び上記予測制御信号に基づくテレシネ検出信号を出力する予測制御手段と、上記飛び越し走査映像信号及び上記フィールド遅延手段で遅延した映像信号に基づいて複数種類の補間信号を生成し、上記テレシネ検出信号に基づいて上記複数種類の補間信号の内のいずれかを選択して出力する補間信号生成手段と、上記飛び越し走査映像信号及び上記補間信号生成手段から出力された上記補間信号に基づいて上記順次走査映像信号を生成する変換手段とを有するものである。
【００１２】
また、本発明の映像信号処理方法は、飛び越し走査映像信号を順次走査映像信号に変換する映像信号処理方法であって、上記飛び越し走査映像信号をフィールド単位で遅延させるステップと、上記飛び越し走査映像信号の注目フィールドと、上記注目フィールドより１フレーム前のフィールドとの間の相関を検出し、フレーム間の相関の強さを示す信号を出力するステップと、上記フレーム間の相関の強さを示す信号に基づいて、上記飛び越し走査映像信号がテレシネ変換された映像信号のフィールドシーケンスの条件を満たすか否かを判断し、この判断結果に基づくテレシネシーケンス検出信号を生成して出力するステップと、上記フレーム間の相関の強さを示す信号に基づいて、上記テレシネ変換された映像信号のフィールドシーケンスの条件を満たすフィールドシーケンスの出現頻度を計測し、この計測結果に基づく予測制御信号を出力するステップと、上記テレシネシーケンス検出信号及び上記予測制御信号に基づくテレシネ検出信号を出力するステップと、上記テレシネ検出信号に基づいて上記飛び越し走査映像信号及び上記遅延した飛び越し走査映像信号に基づいて生成される複数種類の補間走査線信号の内からいずれかを選択して出力するステップと、上記飛び越し走査映像信号及び上記選択された補間走査線信号に基づいて、上記順次走査映像信号を生成するステップとを有するものである。
【００１３】
さらに、本発明の映像信号表示装置は、上記映像信号処理装置と、映像を表示する表示手段と、上記映像信号処理装置から出力された上記順次走査の映像信号に基づく映像を上記表示手段に表示させる表示処理回路とを有するものである。
【発明の効果】
【００１４】
本発明の映像信号処理装置又は映像信号処理方法によれば、順次入力される飛び越し走査映像信号がテレシネ変換された映像信号のフィールドシーケンスの条件を満たすか否かを検出すると共に、テレシネ変換された映像信号のフィールドシーケンスの条件を満たすフィールドシーケンスの出現頻度を計測し、これらの結果に基づいて映像信号がテレシネ変換されたものであるか否かを示すテレシネ検出信号を出力するようにしている。このように、映像信号がテレシネ変換された映像信号のフィールドシーケンスの条件を満たすか否かの検出結果に加え、テレシネ変換された映像信号であることの確からしさを示す指標としての意味を持つフィールドシーケンスの出現頻度に基づいたテレシネ検出信号を出力するようにしているので、テレシネ検出信号の信頼度が向上している。したがって、本発明によれば、テレシネ検出信号の信頼度の向上によって、テレシネ検出信号に基づいて選択される補間信号を適切に選択することができるので、テレシネ変換された映像信号の途中でテレシネ変換された映像信号以外の信号が混在する場合等において発生することがあるコーミング現象による画質劣化の発生頻度を低減し、テレシネ変換された映像信号を良好な順次走査映像信号に変換することができるという効果を得ることができる。
【００１５】
また、本発明の映像信号表示装置によれば、コーミング現象による画質劣化を低減した良好なプログレッシブ映像信号に基づく高品質な映像を表示することができるという効果を得ることができる。
【発明を実施するための最良の形態】
【００１６】
本発明の実施の形態における映像信号処理装置、映像信号処理方法、及び映像信号表示装置は、１フレーム前のフィールドとの間の差分情報から１フレーム間の相関を得て、入力映像信号がテレシネ映像信号における５フィールドのフィールドシーケンス（「テレシネシーケンス」という。）の繰り返し条件を満たす映像信号であるか否かを検出すると共に、入力映像信号におけるテレシネシーケンスの出現頻度を検出し（テレシネシーケンスの出現頻度が高い場合にはテレシネ映像信号である可能性が高いので、テレシネシーケンスの出現頻度は、テレシネ映像信号であることの確からしさを示す指標としての意味を持つ。）、これら検出結果に基づいてテレシネ検出の結果を予測し、ＩＰ変換を制御するものである。なお、本出願において「…手段」として示される構成は、電気回路（ハードウェア）によって実現されるもの、又は、ソフトウェアによって実現されるもののいずれであってもよい。
【００１７】
実施の形態１．
図１は、本発明の実施の形態１の映像信号処理装置（すなわち、実施の形態１の映像信号処理方法を実施することができる装置）の構成を示すブロック図である。
【００１８】
図１に示されるように、実施の形態１の映像信号処理装置は、インターレース映像信号（「入力映像信号」又は「現フィールド信号」ともいう。）Ｉａが順次入力される入力端子１００と、タイミング信号発生手段１と、インターレース映像信号Ｉａを１フィールド遅延させる１フィールド遅延手段２と、１フィールド遅延手段２から出力される１フィールド遅延信号Ｉｂを１フィールド遅延させる１フィールド遅延手段３と、順次入力されるインターレース映像信号Ｉａがテレシネ映像信号における５フィールドのフィールドシーケンス（すなわち、テレシネシーケンス）の繰り返し条件を満たす映像信号であるか否かを検出すると共に、２−３プルダウンにおける補間の位相を検出するテレシネ検出手段６とを有する。タイミング信号発生手段１は、入力端子１００から入力されたインターレース映像信号Ｉａから垂直及び水平同期信号を分離し、分離した同期信号に基づいて、タイミング信号を発生する。ここでは、タイミング信号発生手段１は、タイミング信号として、例えば、１フィールド内の所定の領域を示すためのエリア信号ｔｅを発生する。また、実施の形態１の映像信号処理装置は、補間信号（「補間走査線信号」ともいう。）を生成し、テレシネ検出手段６からのテレシネ検出信号ｔｃｉに基づき補間信号を選択する補間信号生成手段１１０と、補間信号生成手段１１０から出力された補間信号Ｉを実走査線信号Ｒの対応する走査線間にはめ込み、倍速変換して、プログレッシブ映像信号Ｐｒｏｇに変換して出力する倍速変換手段９と、プログレッシブ映像信号Ｐｒｏｇを出力する出力端子１０１とを有する。
【００１９】
図１に示されるように、補間信号生成手段１１０は、動き検出手段４と、動き適応補間処理手段５と、テレシネ補間処理手段７と、選択手段８とを有する。動き検出手段４は、現フィールド信号Ｉａと１フールド遅延手段３から出力された２フィールド遅延信号Ｉｃとを受け取り、映像信号のフレーム間差分に基づいて動きを検出し、この検出結果である動き検出信号ｄｅｔｍを出力する。動き適応補間処理手段５は、１フールド遅延手段２から出力された１フィールド遅延信号Ｉｂと、１フールド遅延手段３から出力された２フィールド遅延信号Ｉｃと、動き検出手段４から出力された動き検出信号ｄｅｔｍとを受け取り、動き検出信号ｄｅｔｍに応じた走査線補間処理を行う。テレシネ補間処理手段７は、現フィールドＩａと、１フールド遅延手段３から出力された２フィールド遅延信号Ｉｃと、テレシネ検出手段６からの補間位相フラグｔｃｆとを受け取り、補間位相フラグｔｃｆに基づき２−３プルダウンの信号に対応した走査線補間処理を行う。選択手段８は、動き適応補間処理手段５で生成された補間信号Ｉｍと、テレシネ補間処理手段７で生成された補間信号Ｉｔと、テレシネ検出手段６からのテレシネ検出信号ｔｃｉとを受け取り、テレシネ検出信号ｔｃｉに応じて、動き適応補間処理手段５からの補間信号Ｉｍ又はテレシネ補間処理手段７からの補間信号Ｉｔのいずれかを選択して補間信号Ｉとして出力する。
【００２０】
また、図１に示されるように、テレシネ検出手段６は、１フレーム前のフィールドとの間の差分情報から１フレーム間の相関を検出する相関検出手段１２０と、シーケンス検出手段１４と、入力映像信号を監視する出現頻度検出手段１５と、予測制御手段１６とを有する。相関検出手段１２０は、１フレーム間の差分を検出する差分検出手段１１と、差分検出手段１１からの出力信号を所定の閾値と比較する比較手段１２と、所定エリア内累積カウンタ１３とを有する。
【００２１】
テレシネ検出手段６には、現フィールド信号Ｉａと、１フィールド遅延手段３からの２フィールド遅延信号Ｉｃとが入力される。テレシネ検出手段６は、１フレーム間の差分情報から、入力映像信号が、２−３プルダウンにおけるテレシネ映像信号における５フィールドのテレシネシーケンスの繰り返し条件を満たす映像信号であるか否かを検出すると共に、入力映像信号におけるテレシネシーケンスの出現頻度を検出し（すなわち、「テレシネ映像信号であることの確からしさ」を判定し）、これら検出結果に基づいてテレシネ映像信号の検出を示すテレシネ検出信号ｔｃｉと、２−３プルダウンの位相（すなわち、同一フレームから変換されたフィールドの方向）を示す補間位相フラグｔｃｆを生成して出力する。テレシネ検出手段６は、入力映像信号Ｉａがテレシネ映像信号であると検出した場合には、例えば、テレシネ検出信号ｔｃｉの値を‘１’（すなわち、ｔｃｉ＝１）とし、入力映像信号Ｉａがテレシネ映像信号ではないと検出した場合には、例えば、テレシネ検出信号ｔｃｉの値を‘０’（すなわち、ｔｃｉ＝０）とする。また、テレシネ検出手段６は、例えば、前フィールドが同一フィールドである場合には、例えば、補間位相フラグｔｃｆの値を‘１’（すなわち、ｔｃｆ＝１）とし、後フィールドが同一フィールドである場合には、例えば、補間位相フラグｔｃｆの値を‘０’（すなわち、ｔｃｆ＝０）とする。補間位相フラグｔｃｆは、補間信号生成手段１１０内のテレシネ補間処理手段７へ送られ、テレシネ検出信号ｔｃｉは、補間信号生成手段１１０内の選択手段８へ制御信号として送られる。テレシネ検出手段６の詳細については後述する。
【００２２】
図１に示されるように、補間信号生成手段１１０は、現フィールド信号Ｉａと、１フィールド遅延手段２からの１フィールド遅延信号Ｉｂと、１フィールド遅延手段３からの２フィールド遅延信号Ｉｃとを受け取り、補間信号Ｉを出力する。
【００２３】
補間信号生成手段１１０内の動き検出手段４は、現フィールド信号Ｉａと、１フィールド遅延手段３からの２フィールド遅延信号Ｉｃとを受け取り、２つのフィールドにおける信号間の差分情報を求める。そして、動き検出手段４は、得られた差分情報に基づき、１フレーム間の映像信号の動きを検出し、映像信号の動きを示す動き検出信号ｄｅｔｍを動き適応補間処理手段５へ送る。
【００２４】
補間信号生成手段１１０内の動き適応補間処理手段５は、１フィールド遅延手段２からの１フィールド遅延信号Ｉｂと、１フィールド遅延手段３からの２フィールド遅延信号Ｉｃに対し、動き検出手段４からの出力である動き検出信号ｄｅｔｍに基づき、動き適応ＩＰ変換を行う。補間走査線信号の生成処理は、１フィールド遅延信号Ｉｂに対して行われる。動き適応補間処理手段５は、動き検出信号ｄｅｔｍに基づいて、時間的に前の２フィールド遅延信号Ｉｃから対応する走査線の画素をはめ込むことによるフィールド間補間、又は、１フィールド遅延信号Ｉｂにおける垂直方向の上下に位置する画素信号からのフィールド内補間処理を行い、補間走査線信号（補間信号）Ｉｍを出力する。
【００２５】
補間信号生成手段１１０内のテレシネ補間処理手段７は、現フィールド信号Ｉａと、１フィールド遅延手段３からの２フィールド遅延信号Ｉｃとを受け取り、テレシネ検出手段６からの補間位相フラグｔｃｆに基づき、２−３プルダウンの変換位相に対応したフィールドを現フィールド信号Ｉａ又は２フィールド遅延信号Ｉｃから選択し、テレシネ映像信号の場合における補間信号（「テレシネ補間信号」という。）Ｉｔとして出力する。
【００２６】
補間信号生成手段１１０内の選択手段８は、動き適応補間処理手段５からの補間信号Ｉｍ及びテレシネ補間処理手段７からのテレシネ補間信号Ｉｔのいずれか一方を、テレシネ検出手段６から出力されるテレシネ検出信号ｔｃｉに応じて選択し、補間信号Ｉとして倍速変換手段９へと送る。テレシネ検出信号ｔｃｉは、入力映像信号Ｉａがテレシネ映像信号であるか否かのテレシネ検出手段６による検出結果を示す信号である。選択手段８は、テレシネ検出信号ｔｃｉがテレシネ映像信号であることを示す場合（実施の形態１においては、ｔｃｉ＝１の場合）には、テレシネ補間処理手段７からのテレシネ補間信号Ｉｔを選択して出力し、テレシネ検出信号ｔｃｉがテレシネ映像信号でないことを示す場合（実施の形態１においては、ｔｃｉ＝０の場合）には、通常の映像信号であるとして動き適応補間処理手段５からの補間信号Ｉｍを選択して出力する。
【００２７】
倍速変換手段９は、補間対象フィールドであり、実走査線信号となる１フィールド遅延手段２からの１フィールド遅延信号Ｒ（すなわち、Ｉｂ）と、選択手段８からの補間信号Ｉ（すなわち、補間信号Ｉｍ又はＩｔ）が入力され、補間信号を実走査線信号の対応する走査線間にはめ込み、倍速変換して、プログレッシブ映像信号Ｐｒｏｇへ変換して出力する。そして、出力端子１０１からは、倍速変換手段９の出力であるプログレッシブ映像信号Ｐｒｏｇが出力される。
【００２８】
テレシネ検出手段６内の相関検出手段１２０は、入力端子１００からの現フィールド信号Ｉａと、１フィールド遅延手段３からの２フィールド遅延信号Ｉｃと、タイミング信号発生手段１からの１フィールド内の所定エリアを示すエリア信号ｔｅとに基づき、１フレーム間の相関を検出し、１フレーム間の相関の強さを示す値として１フィールド期間単位の動画素累積値ｃｎｔを出力する。
【００２９】
相関検出手段１２０内の差分検出手段１１には、入力端子１００からの現フィールド信号Ｉａと、１フィールド遅延手段３からの２フィールド遅延信号Ｉｃとが入力される。差分検出手段１１は、現フィールド信号Ｉａと、２フィールド遅延信号Ｉｃとの各画素間の差分を求め、その差分の絶対値をとり、１フレーム間差分情報を出力する。
【００３０】
相関検出手段１２０内の比較手段１２には、差分検出手段１１からの１フレーム間差分情報が入力される。比較手段１２は、入力された差分検出手段１１からの１フレーム間差分情報を所定の閾値と比較し、比較結果を出力する。比較は、例えば、１フレーム間差分情報が所定の閾値より小さければその画素を静止画素と判断し、所定の閾値以上であればその画素を動画素と判断し、結果として、２値化した値を出力する。２値化した値は、例えば、静止画素と判断された場合は‘０’とし、動画素と判断された場合は‘１’とする。なお、この２値化した値は、上記したものに限るものではなく、比較により静止画素又は動画素として判断された各画素の結果を示す値であれば、他の値であってもよい。
【００３１】
相関検出手段１２０内の所定エリア内累積カウンタ１３には、比較手段１２により静止画素又は動画素として２値化された値と、タイミング信号発生手段１からの１フィールド内の所定エリアを示すエリア信号ｔｅとが入力される。所定エリア内累積カウンタ１３は、静止画素又は動画素として２値化された値に応じて、タイミング信号発生手段１からの１フィールド内の所定エリアを示すエリア信号ｔｅに示されたエリア内において、動画素となる値の画素の数を累積する。すなわち、比較手段１２からの動画素と判断された値‘１’となる場合をエリア信号ｔｅのエリア内にわたり累積して、エリア内における動画素累積値ｃｎｔを１フィールド内の動画素の数に対応する値（動画素数又は動画素累積値）としてフィールド単位ごとで出力する。この累積結果である動画素累積値ｃｎｔは、１フレーム間の相関の強さを示す値であり、相関が強い場合（すなわち、静止画の場合）は、１フィールド内の動画素の数が小さくなり、相関が弱い場合（すなわち、動きが大きい、動画の場合）は、１フィールド内の動画素の数が大きくなる。
【００３２】
映像信号によっては、レターボックスと呼ばれる画面上下の帯部分に黒信号部（無画部）が存在する映画素材で送られる場合があり、エリア信号ｔｅは、例えば、１フィールド内の上下の帯部分と画像のブランキング期間を除く画素の期間を示す信号としてタイミング信号発生手段１において発生される。したがって、所定エリア内累積カウンタ１３においては、上下の帯部分と画像のブランキング期間を除くエリア内における動画素の数を１フィールド内の動画素数として出力することなり、誤判定を防止できる。
【００３３】
テレシネ検出手段６内のシーケンス検出手段１４には、所定エリア内累積カウンタ１３から出力される１フィールド期間単位の動画素累積値ｃｎｔが入力される。シーケンス検出手段１４は、入力された動画素累積値ｃｎｔから、フィールドが静止画フィールドであるか否か、入力映像信号が５フィールドのテレシネシーケンスの繰り返し条件を満たす映像信号であるか否か、及び２−３プルダウンのシーケンス位相を検出する。
【００３４】
図２は、実施の形態１による映像信号処理装置におけるテレシネ検出手段６内のシーケンス検出手段１４の構成を示すブロック図である。図２に示されるように、実施の形態１のシーケンス検出手段１４は、第１、第２、第３の静止画検出手段２１ａ，２１ｂ，２１ｃと、動画フィールドカウンタ２２と、テレシネシーケンスの位相を検出するシーケンス位相検出手段１４１と、テレシネシーケンスの繰り返し条件を検出し、テレシネシーケンスの繰り返し条件を満たす映像信号であるか否かを判定するテレシネシーケンス判定手段１４２と、テレシネシーケンスの繰り返し条件を満たしていないことを検出するテレシネ解除検出手段１４３とを有する。
【００３５】
図２に示されるように、シーケンス位相検出手段１４１は、テレシネシーケンス位相カウンタ２３と、補間位相フラグ生成手段３５とを有する。また、テレシネシーケンス判定手段１４２は、テレシネ起動カウンタ２４と、シーケンス検出信号生成手段３６と、起動カウント値設定手段３７とを有する。さらに、テレシネ解除検出手段１４３は、動画連続検出手段２５と、静止画連続検出手段２７と、比較手段２８と、シーケンス内静止画カウンタ３０及び比較手段３１からなるシーケンスずれ検出手段２９と、シーンチェンジ検出手段３２と、比較閾値設定手段３３と、解除信号生成手段３４とを有する。
【００３６】
ここで、テレシネ映像信号は、５フィールドに１回、２フィールド前と同一のフィールドを繰り返して変換されており、１フレーム前のフィールドとの差分に基づく所定エリア内累積カウンタ１３から出力される動画素累積値ｃｎｔは、テレシネ映像信号の場合、５フィールドに一度の周期でゼロ又は所定の閾値以下となるフィールド（静止画）が存在することになる。
【００３７】
図３は、実施の形態１による映像信号処理装置における相関検出手段１２０内の所定エリア内累積カウンタ１３から出力される動画素累積値ｃｎｔ（縦軸）とフィールド番号（時間、すなわち、横軸）との関係（テレシネ映像信号の場合）を示す図である。図３には、画像シミュレーションにおいて、テレシネ映像信号からのフィールド画像を差分検出手段１１、比較手段１２、及び所定エリア内累積カウンタ１３により処理した場合が示されている。図３においてフィールド番号１、６、１１、…、４１として示されるように、テレシネ映像信号の動画素累積値ｃｎｔは、５フィールドに一度の周期でゼロ又は所定の閾値以下となる静止画フィールドを繰り返すシーケンスとなっている。
【００３８】
よって、テレシネシーケンスであることの条件の検出は、動画フィールドが４フィールド連続した後、静止画フィールドが１フィールドとなる５フィールド繰り返しシーケンスの検出により行うことができる。シーケンス検出手段１４は、動画素累積値ｃｎｔからフィールドが静止画フィールドであるか否かを検出し、この５フィールドに一度の静止画フィールドを検出することで、入力映像信号がテレシネシーケンスであることの条件を満たすか否かを検出し、その結果（すなわち、テレシネシーケンス検出結果）を示す検出信号ｔｃｉ０と、テレシネ補間時の位相を示す補間位相フラグｔｃｆとを出力する。
【００３９】
また、出現頻度検出手段１５は、シーケンス検出手段１４と同一のシーケンス検出条件を用いてテレシネシーケンスの出現頻度を検出する。シーケンス検出手段１４は、シーケンス検出手段１４により検出しているフィールドの静止画検出結果ｓｔｌ１、動画の連続数ｍｖｆ、及びテレシネシーケンスの位相ｓｅｑを、出現頻度検出手段１５へ出力する。
【００４０】
なお、テレシネ検出手段６におけるテレシネ検出は、フィールド単位で行われ、テレシネシーケンスの検出を行うシーケンス検出手段１４、出現頻度検出手段１５、及び予測制御手段１６における各ブロックの動作は、フィールド毎で処理するものであり、垂直同期信号に基づくフィールドパルスのタイミングで動作する。
【００４１】
所定エリア内累積カウンタ１３からシーケンス検出手段１４へ入力された１フィールド単位の動画素累積値ｃｎｔは、第１、第２、第３の静止画検出手段２１ａ，２１ｂ，２１ｃと、テレシネ解除検出手段１４３内のシーンチェンジ検出手段３２へ送られる。
【００４２】
第１、第２、第３の静止画検出手段２１ａ，２１ｂ，２１ｃは、それぞれにおいて所定エリア内累積カウンタ１３からの１フィールド単位の動画素累積値ｃｎｔを所定の閾値と比較し、そのフィールドが静止画フィールドであるか否かを検出する。入力された動画素累積値ｃｎｔが所定の閾値より小さい場合（すなわち、１フィールド内の動画素の数が所定の個数より小さい場合）、そのフィールドを静止画として、静止画フィールドを検出する。なお、動画素累積値ｃｎｔが所定の閾値より大きい場合（すなわち、１フィールド内に所定の閾値より多くの動画素が含まれる場合）には、そのフィールドを動画フィールドとして、それ以外の場合は静止画と検出することもできる。
【００４３】
第１の静止画検出手段２１ａは、動画素累積値ｃｎｔを所定の閾値ＳＴＬ＿ＴＨ１と比較し、入力された動画素累積値ｃｎｔが所定の閾値ＳＴＬ＿ＴＨ１より小さい場合に、そのフィールドを静止画として、検出結果ｓｔｌ１の値を‘１’（ｓｔｌ１＝１であり、静止画を示す。）とし、それ以外の場合は、検出結果ｓｔｌ１の値を‘０’（ｓｔｌ１＝０であり、動画を示す。）とする。ここで、静止画検出のための所定の閾値ＳＴＬ＿ＴＨ１は、テレシネシーケンスにおいて、５フィールドに一度ある同一フィールドによる静止画フィールドを検出することができるような値に設定される。
【００４４】
同様に、第２の静止画検出手段２１ｂは、動画素累積値ｃｎｔを所定の閾値ＳＴＬ＿ＴＨ２と比較し、入力された動画素累積値ｃｎｔが所定の閾値ＳＴＬ＿ＴＨ２より小さい場合に、そのフィールドを静止画として、検出結果ｓｔｌ２の値を‘１’（ｓｔｌ２＝１であり、静止画を示す。）とし、それ以外の場合は、検出結果ｓｔｌ２の値を‘０’（ｓｔｌ２＝０であり、動画を示す。）とする。この静止画検出のための所定の閾値ＳＴＬ＿ＴＨ２は、連続する静止画を検出する値とし、字幕等の静止画素の挿入時を考慮した値、若しくは、完全に静止画となる場合のみを検出できるような値とすることができる。なお、第１の静止画検出手段２１ａにおける所定の閾値と同一の値とすることも可能である。
【００４５】
また、第３の静止画検出手段２１ｃは、動画素累積値ｃｎｔを所定の閾値ＳＴＬ＿ＴＨ３と比較し、入力された動画素累積値ｃｎｔが所定の閾値ＳＴＬ＿ＴＨ３より小さい場合に、そのフィールドを静止画として、検出結果ｓｔｌ３の値を‘１’（ｓｔｌ３＝１であり、静止画を示す。）とし、それ以外の場合は、検出結果ｓｔｌ３の値を‘０’（ｓｔｌ３＝０であり、動画を示す。）とする。この静止画検出のための所定の閾値ＳＴＬ＿ＴＨ３は、テレシネシーケンスの５フィールドに一度の静止画とは異なるフィールドにおける静止画フィールドを検出することができるような値に設定される。この所定の閾値は、第１の静止画検出手段２１ａにおける所定の閾値と同一の値とすることも可能である。
【００４６】
そして、第１の静止画検出手段２１ａからの検出結果ｓｔｌ１は、５フィールドのテレシネシーケンスを検出するため、動画フィールドカウンタ２２、シーケンス位相検出手段１４１、テレシネシーケンス判定手段１４２、及びテレシネ解除検出手段１４３内の動画連続検出手段２５へと送られると共に、出現頻度検出手段１５へと出力される。また、第２の静止画検出手段２１ｂからの検出結果ｓｔｌ２は、テレシネ解除検出手段１４３内の静止画連続検出手段２７へ、第３の静止画検出手段２１ｃからの検出結果ｓｔｌ３は、テレシネ解除検出手段１４３内のシーケンスずれ検出手段２９へと出力される。
【００４７】
動画フィールドカウンタ２２には、第１の静止画検出手段２１ａからのフィールドの静止画検出結果ｓｔｌ１が入力される。動画フィールドカウンタ２２は、入力された検出結果ｓｔｌ１に基づき、動画フィールドの連続をカウントし、前フィールドまでの動画フィールド連続数ｍｖｆを出力する。すなわち、動画フィールドカウンタ２２は、入力された検出結果ｓｔｌ１が静止画を示す‘１’である場合（すなわち、ｓｔｌ１＝１の場合）、カウンタをリセットし、動画を示す‘０’である場合（すなわち、ｓｔｌ１＝０の場合）はカウントして、次フィールドにタイミングを合わせ、カウントした動画フィールドの連続数ｍｖｆを出力する。
【００４８】
シーケンス位相検出手段１４１は、第１の静止画検出手段２１ａからのフィールドの静止画検出結果ｓｔｌ１と、動画フィールドカウンタ２２からの前フィールドまでの動画連続数ｍｖｆとに基づいて５フィールド単位で繰り返すテレシネシーケンスの位相を検出し、５フィールドのシーケンス位相を示すカウント値ｓｅｑと、補間位相フラグｔｃｆとを出力する。
【００４９】
シーケンス位相検出手段１４１内のテレシネシーケンス位相カウンタ２３には、第１の静止画検出手段２１ａからのフィールドの静止画検出結果ｓｔｌ１と、動画フィールドカウンタ２２からの前フィールドまでの動画連続数ｍｖｆとが入力される。テレシネシーケンス位相カウンタ２３は、フィールド毎で５フィールド周期となる‘０’から‘４’までを繰り返しカウントし、静止画検出結果ｓｔｌ１とその前フィールドまでの動画フィールドの連続数ｍｖｆに基づき、繰り返しの周期カウンタのリセットを行う。すなわち、テレシネシーケンス位相カウンタ２３は、静止画検出結果ｓｔｌ１が‘１’であり（静止画）、かつ、前フィールドまでの動画連続数ｍｖｆが‘４’であるときに、テレシネ映像信号における５フィールドに一度の完全静止画フィールドであると判定して、カウント値をゼロへリセットする。その後、テレシネシーケンス位相カウンタ２３は、静止画検出結果ｓｔｌ１が１であり、かつ、動画連続数ｍｖｆが‘４’となるまで（すなわち、カウント値ｓｅｑが‘１’から‘４’まで）、フィールド毎にカウントする。
【００５０】
テレシネシーケンス位相カウンタ２３のカウント値ｓｅｑは、５フィールド単位で繰り返しており、テレシネ映像信号においては５フィールドごとに一度の完全静止画フィールドに同期してリセットされるので、５フィールドの繰り返しシーケンス、すなわち、２−３プルダウンにおけるシーケンスの位相を示すことになる。そして、テレシネシーケンスの位相であるカウント値ｓｅｑは、補間位相フラグ生成手段３５へ送られる。また、カウント値ｓｅｑは、テレシネ解除検出手段１４３におけるシーケンスずれ検出手段２９と出現頻度検出手段１５へも出力される。
【００５１】
シーケンス位相検出手段１４１内の補間位相フラグ生成手段３５は、テレシネシーケンス位相カウンタ２３からのテレシネシーケンス位相カウント値ｓｅｑを受け取り、テレシネ補間における同一フレームから変換されたフィールドの方向を示す補間位相フラグｔｃｆを生成する。テレシネシーケンス位相カウンタ２３からのテレシネシーケンス位相カウント値ｓｅｑは、５フィールド単位で繰り返す信号となっており、２−３プルダウンの位相に同期している。よって、テレシネシーケンス位相カウント値ｓｅｑにより、補間時のフィールド方向を示すように、例えば、時間的に前のフィールドからテレシネ補間をするフィールド位相においては補間位相フラグｔｃｆを‘１’とし、時間的に後ろのフィールドからテレシネ補間をするフィールドにおいては補間位相フラグｔｃｆを‘０’とする。なお、補間位相フラグｔｃｆの値は上記したものに限らず、前のフィールドからのテレシネ補間の場合と後ろのフィールドからのテレシネ補間の場合を区別できる値であれば、他の値であってもよい。補間位相フラグ生成手段３５による補間位相フラグｔｃｆは、補間信号生成手段１１０内のテレシネ補間処理手段７へ送られる。
【００５２】
次に、テレシネ解除検出手段１４３には、第１、第２、第３の静止画検出手段２１ａ，２１ｂ，２１ｃからの静止画検出結果ｓｔｌ１，ｓｔｌ２，ｓｔｌ３と、動画フィールドカウンタ２２からの動画連続数ｍｖｆと、所定エリア内累積カウンタ１３からの１フィールド単位の動画素累積値ｃｎｔとが入力され、入力される各信号に基づいて入力映像信号がテレシネシーケンスの条件を満たしていない場合を検出し、テレシネシーケンスの条件を満たさない場合に、シーケンス検出信号の解除を行う（すなわち、入力映像信号がテレシシーケンスではないとする）ための解除信号ｒｓｔを生成し出力する。以下、テレシネ解除検出手段１４３内の各ブロックについて説明する。
【００５３】
テレシネ解除検出手段１４３内の動画連続検出手段２５には、第１の静止画検出手段２１ａからの静止画検出結果ｓｔｌ１と、動画フィールドカウンタ２２からの動画連続数ｍｖｆが入力される。動画連続検出手段２５は、動画フィールドの連続数ｍｖｆが‘４’であり、かつ、静止画検出結果ｓｔｌ１が‘０’（動画）である場合を検出し、検出結果を出力する。テレシネ映像信号においては５フィールドに１回、同一フィールドがあるので、動画フィールドの連続は５フィールド以上とならない。したがって、静止画検出結果ｓｔｌ１により検出フィールドが動画（すなわち、ｓｔｌ１＝０）で、前フィールドまでの動画連続数ｍｖｆが‘４’（すなわち、ｍｖｆ＝４）であれば、５フィールド動画が連続したことになる。このため、ｍｖｆが‘４’であり、かつ、ｓｔｌ１が‘０’（動画）であるの場合には、テレシネ解除を示す信号として、例えば、‘１’となる検出結果を出力し、解除信号生成手段３４へと送る。
【００５４】
テレシネ解除検出手段１４３内の静止画連続検出手段２７には、第２の静止画検出手段２１ｂからのフィールドの静止画検出結果ｓｔｌ２が入力される。静止画連続検出手段２７は、静止画検出結果ｓｔｌ２に基づいて静止画フィールドの連続をカウントする。すなわち、静止画連続検出手段２７は、静止画検出結果が動画を示すｓｔｌ２が‘０’（動画）のときに、カウント値をゼロへリセットし、ｓｔｌ２が‘１’（静止画）であるときにカウントする。静止画連続検出手段２７のカウント値は、テレシネ解除検出手段１４３内の比較手段２８へ出力される。
【００５５】
テレシネ解除検出手段１４３内の比較手段２８は、静止画連続検出手段２７から出力された静止画連続カウント値を受け取り、この静止画連続カウント値を所定の閾値と比較し、連続数が所定の閾値以上となる場合を検出する。比較手段２８は、静止画の連続数が所定の閾値以上である場合に、テレシネ解除を示す信号として、例えば、‘１’となる検出結果を、解除信号生成手段３４へと送る。比較の所定の閾値は、テレシネ映像信号の５フィールドの繰り返しシーケンスを考慮し、例えば、５フィールドとして、よって、静止画が５フィールド以上連続する場合に検出結果‘１’が解除信号生成手段３４へ出力される。
【００５６】
テレシネ解除検出手段１４３内のシーケンスずれ検出手段２９は、テレシネシーケンスの検出中に、５フィールドに一度の静止画フィールドとは異なるシーケンス途中のフィールドで、静止画が存在することを検出して、フィールドシーケンスの位相のずれを検出する。シーケンスずれ検出手段２９は、シーケンス内静止画カウンタ３０と、比較手段３１により構成されている。
【００５７】
シーケンス内静止画カウンタ３０には、第３の静止画検出手段２１ｃからの静止画検出結果ｓｔｌ３と、テレシネシーケンス位相カウンタ２３からのシーケンス位相カウント値ｓｅｑと、シーケンス検出信号生成手段３６からのテレシネシーケンス検出信号ｔｃｉ０が入力される。シーケンス内静止画カウンタ３０は、シーケンス検出信号生成手段３６からのテレシネシーケンス検出信号ｔｃｉ０が、テレシネシーケンスであることを示す場合、第３の静止画検出手段２１ｃからの静止画検出結果ｓｔｌ３が‘１’（静止画）となるフィールドをカウントする。但し、静止画フィールドのカウントは、２−３プルダウン位相に同期したシーケンス位相カウント値ｓｅｑの１周期ごとに行い、５フィールドに一度の静止画フィールドの位置でカウント値をゼロへリセットする。よって、シーケンス内静止画カウンタ３０は、テレシネ映像信号における５フィールドに１回ある静止画フィールドの位置とは異なるフィールドで、シーケンス中に静止画フィールドとなる場合を検出し、そのフィールドの数を出力することとなる。このシーケンス内静止画カウンタ３０におけるカウント値は、シーケンスずれ検出手段２９内の比較手段３１へと出力される。
【００５８】
シーケンスずれ検出手段２９内の比較手段３１は、シーケンス内静止画カウンタ３０からのカウント値を所定の閾値と比較し、このカウント値が所定の閾値以上の場合に、５フィールドのシーケンス途中における静止画の検出結果ｄｂｅを、テレシネ解除を示す信号（例えば、‘１’）として出力する。テレシネ映像信号の場合、５フィールドごとに一度完全静止画フィールドとなるため、シーケンス途中におけるその完全静止画フィールドとは異なるフィールドで、静止画フィールドが存在することを検出した場合には、シーケンスが変更して規則性が乱れ、２−３プルダウン位相のずれがあると判断できる。よって、比較手段３１は、この比較結果を、２−３プルダウン位相のずれを示す信号ｄｂｅとして出力する。なお、比較手段３１における比較の所定の閾値は、例えば、‘１’とする。シーケンスずれ検出手段２９内の比較手段３１からの出力ｄｂｅは、解除信号生成手段３４へ出力される。
【００５９】
一方、テレシネ解除検出手段１４３内のシーンチェンジ検出手段３２には、所定エリア内累積カウンタ１３からの１フィールド単位の動画素累積値ｃｎｔと、比較閾値設定手段３３により設定される所定の閾値ＳＴＨが入力される。シーンチェンジ検出手段３２は、動画素累積値ｃｎｔと閾値ＳＴＨを比較し、この比較結果に基づいてそのフィールドにおけるシーンチェンジを検出する。
【００６０】
ここで、一般に映像信号における編集点は、シーンの切り換わりである可能性が高く、その場合フィールド内のほとんどの画素が動画素と判定される。よって、１フレーム前のフィールドからの差分に基づく動画素累積値ｃｎｔは、通常のシーケンス内における値と比較して大きく変化する。図４は、画像シミュレーションにおいて、編集点が存在するテレシネ映像信号からのフィールド画像を差分検出手段１１、比較手段１２、及び所定エリア内累積カウンタ１３により処理した場合の１フィールド単位の動画素累積値ｃｎｔ（縦軸）とフィールド番号（時間、すなわち、横軸）との関係を示す図である。図４に示されるように、編集点となるシーンの切り換わり（図４において、フィールド番号５３８及び５３９）においては、動画素累積値ｃｎｔは他のフィールドにおける値と比較して大きく変化している。
【００６１】
よって、シーンチェンジ検出手段３２は、動画素累積値ｃｎｔが閾値ＳＴＨより大きい場合（すなわち、１フィールド内の所定の閾値より多くの画素が動画素となる場合）には、そのフィールドでシーンチェンジがあったとして、シーンチェンジ検出結果ｓｃｈを‘１’として出力し、それ以外の場合はシーンチェンジ検出結果ｓｃｈを‘０’として出力する。シーンチェンジ検出のための閾値ＳＴＨは、比較閾値設定手段３３により設定され、シーンチェンジ検出結果ｓｃｈは、解除信号生成手段３４へ出力される。
【００６２】
テレシネ解除検出手段１４３内の解除信号生成手段３４には、動画連続検出手段２５からの動画連続検出結果と、比較手段２８からの静止画連続検出結果と、シーケンスずれ検出手段２９からのシーケンスの位相ずれを示す信号ｄｂｅと、シーンチェンジ検出手段３２からのシーンチェンジ検出結果ｓｃｈとが入力される。解除信号生成手段３４は、テレシネ映像信号からの切り換わりや位相ずれが起こった場合や、テレシネシーケンスの条件を満たさない場合に、シーケンス検出信号の解除を行う（すなわち、入力映像信号がテレシネシーケンスではないとする）ための解除信号を、入力された各検出結果のいずれかに基づき生成する。例えば、動画連続検出手段２５からの動画連続検出結果と、比較手段２８の静止画連続検出結果と、シーケンスずれ検出手段２９からのシーケンスの位相ずれを示す信号ｄｂｅと、シーンチェンジ検出手段３２からのシーンチェンジ検出結果ｓｃｈの中から、いずれか１つ以上の検出結果が‘１’となった場合に、テレシネ解除信号ｒｓｔを‘１’とし、テレシネ解除しない場合はｒｓｔを‘０’とする。この場合は、動画又は静止画が所定フィールド（５フィールド）連続することが検出された場合と、テレシネ映像信号の検出中に２−３プルダウン位相がずれた場合、シーンチェンジが検出された場合のいずれかにおいて、解除信号ｒｓｔを‘１’とする。
【００６３】
なお、解除信号生成手段３４における解除信号ｒｓｔの生成は、上記条件に限られるものではなく、例えば、動画連続検出手段２５からの動画連続検出結果と、比較手段２８からの静止画連続検出結果と、シーケンスずれ検出手段２９からのシーケンスの位相ずれを示す信号ｄｂｅと、シーンチェンジ検出手段３２からのシーンチェンジ検出結果ｓｃｈの中から、いずれか２つ以上の検出結果が‘１’となった場合、又は、予め決められた検出結果の組み合わせにおいてそれぞれの検出結果が‘１’となった場合に、値が‘１’となる解除信号ｒｓｔを出力するように構成してもよい。また、動画連続検出手段２５からの動画連続検出結果と、比較手段２８の静止画連続検出結果とシーンチェンジ検出手段３２からのシーンチェンジ検出結果ｓｃｈとにより、動画又は静止画が所定フィールド（５フィールド）連続することが検出された場合とシーンチェンジが検出された場合に値が‘１’の解除信号ｒｓｔを出力する条件として設定することもできる。
【００６４】
テレシネシーケンス判定手段１４２には、第１の静止画検出手段２１ａからのフィールドの静止画検出結果ｓｔｌ１と、動画フィールドカウンタ２２からの前フィールドまでの動画連続数ｍｖｆと、テレシネ系所検出手段１４３による解除信号ｒｓｔとが入力される。テレシネシーケンス判定手段１４２は、テレシネシーケンスの繰り返し条件を検出し、テレシネシーケンスであるか否かを判定して、シーケンス検出結果を示すテレシネシーケンス検出信号ｔｃｉ０を出力する。以下に、テレシネシーケンス判定手段１４２を構成する各ブロックについて説明する。
【００６５】
テレシネシーケンス判定手段１４２内のテレシネ起動カウンタ２４には、第１の静止画検出手段２１ａからのフィールドの静止画検出結果ｓｔｌ１と、動画フィールドカウンタ２２からの前フィールドまでの動画連続数ｍｖｆと、リセット信号として解除信号生成手段３４からの解除信号ｒｓｔとが入力される。テレシネ起動カウンタ２４は、静止画検出結果ｓｔｌ１と、前フィールドまでの動画連続数ｍｖｆとに基づいて動画フィールドが４フィールド連続した後、静止画フィールドとなる５フィールドのテレシネシーケンスを検出した場合をカウントする。解除信号生成手段３４からの解除信号ｒｓｔが‘１’（すなわち、ｒｓｔ＝１）となった場合は、テレシネシーケンスのカウント値ｏｎｃｎｔをゼロへリセットする。すなわち、静止画検出結果ｓｔｌ１が‘１’（静止画）であり、かつ、前フィールドまでの動画連続数ｍｖｆが‘４’のとき、テレシネ映像信号の５フィールドのシーケンスを検出したとして、テレシネシーケンスの繰り返し回数をカウントする。解除信号生成手段３４からの解除信号ｒｓｔとして‘１’が入力された場合は、入力映像信号がテレシネ映像信号ではないとしてカウント値をゼロとし、解除信号ｒｓｔによるリセット後は、再び上記の５フィールドごとのテレシネシーケンスの条件となるフィールドの入力を待ち、‘０’からシーケンスの繰り返し回数のカウントを開始する。そして、テレシネ起動カウンタ２４によるテレシネシーケンスのカウント値ｏｎｃｎｔは、シーケンス検出信号生成手段３６へと出力される。
【００６６】
テレシネシーケンス判定手段１４２内の起動カウント値設定手段３７は、テレシネ起動カウンタ２４から出力されるテレシネシーケンスのカウント値ｏｎｃｎｔに対し、テレシネシーケンスであると検出するまでのテレシネシーケンスの繰り返し回数を設定し、シーケンス検出信号を起動するまでの起動カウント値ＴＨ１として出力する。
【００６７】
テレシネシーケンス判定手段１４２内のシーケンス検出信号生成手段３６には、テレシネ起動カウンタ２４からのテレシネシーケンスのカウント値ｏｎｃｎｔと、起動カウント値設定手段３７により設定された起動カウント値ＴＨ１が入力される。シーケンス検出信号生成手段３６は、テレシネ起動カウンタ２４からのテレシネシーケンスカウント値ｏｎｃｎｔと、起動カウント値ＴＨ１とを比較し、テレシネシーケンスカウント値ｏｎｃｎｔが起動カウント値ＴＨ１以上になったとき、すなわち、５フィールドのテレシネシーケンスが所定の回数連続して検出されたときに、シーケンス検出結果を示す検出信号ｔｃｉ０を‘１’とし、テレシネシーケンスカウント値ｏｎｃｎｔが起動カウント値ＴＨ１より小さいときは検出信号ｔｃｉ０を‘０’として出力する。テレシネシーケンス検出信号ｔｃｉ０が‘０’の場合は、テレシネシーケンスがカウントされない（テレシネ映像信号でない）場合や検出されるまでの間、シーケンスカウント値がゼロへリセットされた場合等である。なお、シーケンス検出信号の値は、これに限らず、テレシネシーケンスを所定回数以上連続して検出している場合とそれ以外の場合を判別できればよい。シーケンス検出信号生成手段３６からの出力であるテレシネシーケンス検出信号ｔｃｉ０は、シーケンスずれ検出手段３１へ送られると共に、予測制御手段１６へと出力される。
【００６８】
次に、テレシネ検出手段６における出現頻度検出手段１５には、シーケンス検出手段１４から出力される静止画検出結果ｓｔｌ１、動画の連続数ｍｖｆ、及びテレシネシーケンスの位相カウント値ｓｅｑが入力される。出現頻度検出手段１５は、入力映像信号のシーケンスを監視し、テレシネシーケンスの出現頻度を検出することで、テレシネシーケンスの出現頻度の条件を満たす映像信号であるか否か（すなわち、テレシネ映像信号であることの確からしさ）を判定する。
【００６９】
図５は、実施の形態１による映像信号処理装置における出現頻度検出手段１５の構成及びシーケンス検出手段１４の一部の構成を示すブロック図である。図５に示されるように、出現頻度検出手段１５は、シーケンス検出手段１４内における第１の静止画検出手段２１ａ、動画フィールドカウンタ２２、テレシネシーケンス位相カウンタ２３から得られる静止画検出結果ｓｔｌ１、動画連続数ｍｖｆ、及びテレシネシーケンスの位相カウント値ｓｅｑを入力としている。しかし、出現頻度検出手段１５内に、第１の静止画検出手段２１ａ、動画フィールドカウンタ２２、及びテレシネシーケンス位相カウンタ２３と同様の手段を持つよう構成することもできる。この場合には、相関検出手段１２０における所定エリア内累積カウンタ１３から出力される１フィールド単位の動画素累積値ｃｎｔを入力とし、出現頻度検出手段１５内でテレシネシーケンス検出の条件となる静止画検出結果ｓｔｌ１と動画の連続数ｍｖｆ、及びテレシネシーケンスの位相カウント値ｓｅｑを得ることになる。
【００７０】
以下の説明においては、出現頻度検出手段１５が、シーケンス検出手段１４から出力される静止画検出結果ｓｔｌ１と動画連続数ｍｖｆ、及びテレシネシーケンスの位相カウント値ｓｅｑを入力とする場合を説明する。
【００７１】
図５に示されるように、実施の形態１のテレシネ検出手段６における出現頻度検出手段１５は、シーケンス判定回数検出手段１５１と、確からしさ判定手段１５２とを有する。シーケンス判定回数検出手段１５１は、入力映像信号におけるシーケンス条件を比較的長い時間（フィールド）にわたって監視し、テレシネシーケンスと判定される回数をカウントする。シーケンス判定回数検出手段１５１は、出現頻度カウンタ４０と、静止画連続検出手段４１と、カウント値調整手段４２と、最大値設定手段４３と、カウント値初期化手段４４とを有する。また、確からしさ判定手段１５２は、シーケンス判定回数検出手段１５１から出力されるカウント値ｔｃを所定の閾値ＴＨ２と比較し、この比較結果をテレシネ変換された映像信号であることの確からしさ示す指標である予測制御信号ｔｃｉｆｌｇとして出力する（すなわち、テレシネ映像信号であることの確からしさを判定し、判定結果を出力する）。
【００７２】
まず、シーケンス判定回数検出手段１５１には、シーケンス検出手段１４から出力される静止画検出結果ｓｔｌ１と、動画の連続数ｍｖｆと、テレシネシーケンスの位相カウント値ｓｅｑとが入力される。シーケンス判定回数検出手段１５１は、入力映像信号におけるシーケンス条件を比較的長いフィールドにわたって監視し、テレシネシーケンスと判定される回数をカウントする。シーケンス判定回数検出手段１５１は、テレシネシーケンス条件が検出される場合は所定の値を加算し、一方、５フィールドごとでテレシネシーケンス条件が検出されず、テレシネシーケンスと判定されない場合は、カウント値から所定の値を減算する。
【００７３】
シーケンス判定回数検出手段１５１内の静止画連続検出手段４１には、静止画検出結果ｓｔｌ１と、テレシネシーケンスの位相カウント値ｓｅｑとが入力される。静止画連続検出手段４１は、２−３プルダウン位相に同期したシーケンス位相カウント値ｓｅｑの１周期ごとに、静止画検出結果ｓｔｌ１が‘１’（静止画）となるフィールドをカウントし、シーケンス位相カウント値ｓｅｑで示される５フィールドのすべてが静止画フィールドである場合を検出する。静止画の５フィールド連続検出結果は、出現頻度カウンタ４０へ出力される。
【００７４】
出現頻度カウンタ４０には、シーケンス検出手段１４からのテレシネシーケンスの検出条件となるフィールドの静止画検出結果ｓｔｌ１と、前フィールドまでの動画連続数ｍｖｆと、テレシネシーケンスの位相カウント値ｓｅｑとが入力され、また、静止画連続検出手段４１による静止画の５フィールド連続検出結果と、カウント値調整手段４２、最大値設定手段４３、及びカウント値初期化手段４４のそれぞれにおいて設定された設定値とが入力される。
【００７５】
出現頻度カウンタ４０は、静止画検出結果ｓｔｌ１、動画連続数ｍｖｆ、テレシネシーケンス位相カウント値ｓｅｑ、及び静止画連続検出手段４１による静止画の５フィールド連続検出結果とに基づいて、所定値Ａｄを加算又は所定値Ｓｕを減算するアップダウンカウンタである。出現頻度カウンタ４０は、入力映像信号におけるシーケンス条件を比較的長い時間（フィールド）にわたって監視し、テレシネシーケンスと判定される回数をカウントする。出現頻度カウンタ４０は、入力映像信号をテレシネシーケンスと判定する場合、すなわち、静止画検出結果ｓｔｌ１が‘１’（静止画）であり、かつ、前フィールドまでの動画連続数ｍｖｆが‘４’のときは、カウント値ｔｃに所定値Ａｄを加算する（すなわち、ｔｃ←ｔｃ＋Ａｄ）。出現頻度カウンタ４０は、５フィールド目の位相（すなわち、テレシネシーケンス位相カウント値ｓｅｑが‘０’であり、５フィールドに一度の静止画の位置）であっても、静止画検出結果ｓｔｌ１が‘１’（静止画）であり、かつ、前フィールドまでの動画連続数ｍｖｆが‘４’となるシーケンス条件が検出されない場合、すなわち、テレシネシーケンスと判定されない場合は、カウント値ｔｃから所定値Ｓｕを減算する（すなわち、ｔｃ←ｔｃ−Ｓｕ）。但し、静止画連続検出手段４１からの静止画の５フィールド連続検出結果により、５フィールド連続して静止画が検出されているときは、静止画検出結果ｓｔｌ１が‘１’（静止画）であり、かつ、動画連続数ｍｖｆが‘４’となるシーケンス条件が検出されなくても、カウント値ｔｃの加減算を行わない（すなわち、ｔｃ←ｔｃ±０）。これは、静止画連続時は、静止画が連続するテレシネ映像信号である場合もあり、テレシネシーケンスか否かどちらにも判定できないためである。
【００７６】
また、上記では、カウント値ｔｃから所定値Ｓｕを減算する場合（テレシネシーケンスと判定しない場合）は、５フィールドに一度の静止画の位置であっても、シーケンス条件が検出されない場合と説明したが、５フィールドに一度の静止画の位置において、静止画検出結果ｓｔｌ１＝０（動画）となる場合のみをテレシネシーケンスと判定しないようにすることもできる。この時は、テレシネシーケンス位相カウント値ｓｅｑが‘０’であるにもかかわらず、静止画検出結果ｓｔｌ１＝０（動画）となる場合にカウント値ｔｃから所定値Ｓｕを減算する。
【００７７】
これは、５フィールドに一度の静止画の位置において、静止画検出結果ｓｔｌ１＝１（静止画）であるときは、上記のシーケンス条件のひとつである動画連続数ｍｖｆ＝‘４’でなくてもテレシネシーケンス中である場合（テレシネシーケンス中の静止画から動画への切り換えなど）が考えられ、テレシネシーケンスであるか否かどちらにも判定できない場合が存在するためである。５フィールドに一度の静止画の位置において、静止画検出結果ｓｔｌ１＝０（動画）となる場合のみをテレシネシーケンスと判定しないようにすることで、上記の条件の減算の対象からはずし、カウント値ｔｃの加減算を行わないようにすることもできる。
【００７８】
カウント値調整手段４２は、出現頻度カウンタ４０におけるカウントにおける加算値Ａｄと減算値Ｓｕのバランス比を調整するもので、例えば、加算値Ａｄを‘１’とした際の減算値Ｓｕに相当する値を出現頻度カウンタ４０へと出力する。テレシネシーケンスと判定する場合の加算値Ａｄに対し、テレシネシーケンスと判定されない場合の減算値Ｓｕを大きくすることで、テレシネシーケンスの判定回数のカウントにおける上下の変動幅が調整される。すなわち、このカウント値調整手段４２で設定する加算値Ａｄと減算値Ｓｕのバランス比により、テレシネシーケンスと判定される度合いを調整することができる。出現頻度カウンタ４０におけるカウントにおける加算値及び減算値は、カウント値調整手段４２からの値に基づき設定される。
【００７９】
最大値設定手段４３は、出現頻度カウンタ４０におけるカウントの最大値ＴＭＡＸを設定する。出現頻度カウンタ４０におけるカウントは、最大値設定手段４３により設定される最大値ＴＭＡＸまでカウントを行うことができる。
【００８０】
カウント値初期化手段４４は、出現頻度カウンタ４０におけるカウントの初期化を行うため、初期化イネーブル信号と初期化値ＩＮＴＣＮＴを設定し、出現頻度カウンタ４０へ出力する。これにより、出現頻度のカウントを初期化値ＩＮＴＣＮＴへ設定でき、出現頻度カウンタ４０におけるカウント値は、初期化イネーブル信号が入力された場合に、初期化値ＩＮＴＣＮＴにセットされる。カウント値初期化手段４４による設定で、途中に映像信号の切換等があった場合に、出現頻度カウンタ４０におけるカウントを初期化し、カウントを再スタートすることが可能になる。
【００８１】
出現頻度カウンタ４０におけるシーケンス判定回数であるカウント値（出現頻度カウント値）ｔｃは、確からしさ判定手段１５２における予測フラグ生成手段４５へと送られる。
【００８２】
次に、確からしさ判定手段１５２は、シーケンス判定回数検出手段１５１からの出現頻度カウント値ｔｃを受け取り、テレシネ映像信号であることの確からしさを判定し、確からしいと判定されるか否かを示す予測制御フラグｔｃｉｆｌｇを出力する。確からしさ判定手段１５２は、予測制御フラグ生成手段４５と、有効カウント値設定手段４６とを有する。
【００８３】
有効カウント値設定手段４６は、シーケンス判定回数検出手段１５１における出現頻度カウンタ４０から出力される出現頻度カウント値ｔｃに対し、テレシネ映像信号であると判定するまでの出現頻度（テレシネシーケンス判定回数）を設定し、テレシネ映像信号であることの確からしさを判定するための有効カウント値ＴＨ２として出力する。この有効カウント値ＴＨ２により、テレシネ映像信号と判定するまでの時間を調整することになる。
【００８４】
予測制御フラグ生成手段４５には、出現頻度カウンタ４０から出力される出現頻度カウント値ｔｃと、有効カウント値設定手段４６により設定された有効カウント値ＴＨ２が入力される。予測制御フラグ生成手段４５は、出現頻度カウンタ４０からの出現頻度カウント値ｔｃと有効カウント値ＴＨ２の比較により、テレシネ映像信号であることの確からしさを判定する。すなわち、出現頻度カウント値ｔｃと有効カウント値ＴＨ２を比較し、出現頻度カウント値ｔｃが有効カウント値ＴＨ２以上になったとき、テレシネ映像信号であると判定し、予測制御フラグｔｃｉｆｌｇを‘１’とする。出現頻度カウント値ｔｃが有効カウント値ＴＨ２より小さい場合は、テレシネ映像信号らしくないと判定し、予測制御フラグｔｃｉｆｌｇは生成せず、予測制御フラグｔｃｉｆｌｇを‘０’とする。そして、予測制御フラグ生成手段４５からの出力である予測制御フラグｔｃｉｆｌｇは、予測制御手段１６へと出力される。
【００８５】
次に、テレシネ検出手段６における予測制御手段１６には、シーケンス検出手段１４からの出力であるテレシネシーケンス検出信号ｔｃｉ０と、出現頻度検出手段１５から出力される予測制御フラグｔｃｉｆｌｇとが入力される。予測制御手段１６は、出現頻度検出手段１５において判定されたテレシネ映像信号であることの確からしさを示す予測制御フラグｔｃｉｆｌｇに基づき、シーケンス検出手段１４におけるテレシネシーケンスの検出結果を制御し、テレシネ映像信号の検出を示すテレシネ検出信号ｔｃｉを出力する。図６は、予測制御手段１６の一構成例を示すブロック図である。予測制御手段１６は、シーケンス検出手段１４におけるテレシネシーケンス検出結果ｔｃｉ０を制御する切換手段５０を有する。
【００８６】
予測制御手段１６内の切換手段５０には、シーケンス検出手段１４からの出力であるテレシネシーケンス検出信号ｔｃｉ０と、出現頻度検出手段１５から出力される予測制御フラグｔｃｉｆｌｇとが入力され、出現頻度検出手段１５からの予測制御フラグｔｃｉｆｌｇに基づき、シーケンス検出手段１４からのテレシネシーケンス検出信号ｔｃｉ０と固定信号を切り換える。切換手段５０は、予測制御フラグｔｃｉｆｌｇが‘１’として入力される場合は、テレシネ映像信号であると判定し、シーケンス検出手段１４によるテレシネシーケンス検出信号ｔｃｉ０を選択し、テレシネ映像信号の検出を示すテレシネ検出信号ｔｃｉとして出力する。一方、切換手段５０は、予測制御フラグｔｃｉｆｌｇが‘０’の場合は、テレシネ映像信号らしくないと判定された場合又はテレシネ映像信号らしいと判定されるまでのフィールド期間（出現頻度カウント値ｔｃが有効カウント値ＴＨ２以上となるまでの時間）であり、シーケンス検出手段１４によるテレシネシーケンス検出信号ｔｃｉ０は選択せず、固定信号ｔｃｉ（値‘０’）を選択する。このとき、テレシネシーケンス検出信号ｔｃｉ０が一時的に通常のテレシネシーケンスの条件を満たしテレシネシーケンス検出信号ｔｃｉ０が‘１’であっても、テレシネ処理が起動はされないこととなる。
【００８７】
そして、予測制御手段１６により制御されたテレシネ映像信号の検出を示すテレシネ検出信号ｔｃｉは、補間信号生成手段１１０内の選択手段８へ制御信号として送られる。予測制御手段１６により、テレシネ映像信号らしくないと判定された場合は、テレシネ検出信号ｔｃｉが‘０’であるので、図１における選択手段８においては、通常の映像信号であるとして動き適応補間処理手段５からの補間信号Ｉｍが選択される。テレシネ映像信号であると判定された場合には、シーケンス検出手段１４によるシーケンス検出の結果により、テレシネ処理が起動される。
【００８８】
次に、テレシネ検出手段６内のシーケンス検出手段１４において、５フィールドのテレシネシーケンスの繰り返し条件を検出して、テレシネシーケンス検出信号ｔｃｉ０を生成、解除する動作について具体的に説明する。図７は、テレシネ検出手段６内のシーケンス検出手段１４において、第１の静止画検出手段２１ａによる静止画フィールドの検出、テレシネシーケンス位相カウンタ２３及びテレシネ起動カウンタ２４で実行されるテレシネシーケンスの繰り返し回数のカウントまでの処理を説明するフローチャートである。なお、上述したように、テレシネ検出はフィールド毎に行われ、図７に示す処理は、１フィールド単位で実行される。
【００８９】
まず、編集点等がなく、２−３プルダウンの位相が規則正しく送られたテレシネ映像信号が入力端子１００から入力されたときの、テレシネ検出手段６におけるシーケンス検出手段１４の動作について説明する。
【００９０】
図８（ａ）乃至（ｃ）は２−３プルダウン方式のテレシネ変換を示す図であり、同図（ａ）は２４コマ／秒のフィルム映像、同図（ｂ）は２−３プルダウン方式でテレシネ変換されたテレシネ映像信号、同図（ｃ）はフィールド番号を示す。図８（ａ）乃至（ｃ）に示されるように、映画フィルム等の信号の第１フレームＡが映像信号の第１及び第２フィールドＡｔ，Ａｂに対応し、映画フィルム等の信号の第２フレームＢが映像信号の第３乃至第５フィールドＢｔ，Ｂｂ，Ｂｔに対応し、映画フィルム等の信号の第３フレームＣが映像信号の第６及び第７フィールドＣｂ，Ｃｔに対応し、映画フィルム等の信号の第４フレームＤが映像信号の第８乃至第１０フィールドのＤｂ，Ｄｔ，Ｄｂに対応するよう変換される。なお、符号Ａｔ，Ｂｔの添字ｔは、相対的に上ラインのフィールドとなるトップフィールドを表し、符号Ａｂ，Ｂｂの添字ｂは、下ラインのフィールドとなるボトムフィールドを表す。
【００９１】
図８（ａ）乃至（ｃ）に示されるように、第３フィールドＢｔと第５フィールドＢｔとは同一内容のフィールドであり、第８フィールドＤｂと第１０フィールドＤｂとは同一内容のフィールドである。このように２−３プルダウン方式でテレシネ変換されたテレシネ映像信号においては、５フィールドに１回、２フィールド前と同一のフィールドを繰り返す。したがって、相関検出手段１２０内の差分検出手段１１において得られる１フレーム間差分情報は、第５フィールドにおける検出及び第１０フィールドにおける検出時に、ゼロ又は所定の閾値以下（ゼロに近いノイズ分を考慮した値）となる。この１フレーム差分情報の関係は、５フィールドごとに１回繰り返し発生する。
【００９２】
図９（ａ）乃至（ｄ）はテレシネ映像信号を検出してＩＰ変換する場合のテレシネ補間と補間位相フラグｔｃｆの関係を説明するための図であり、同図（ａ）はフィールド番号、同図（ｂ）はテレシネ映像信号であるインターレース映像信号、同図（ｃ）は補間位相、同図（ｄ）はプログレッシブ映像信号を示す。補間走査線信号の生成処理は、１フィールド遅延信号に対して行われる。対象となるテレシネ映像信号フィールドに対し、第１フィールドは時間的に後フィールド（すなわち、現フィールド信号。図９（ｃ）においては補間位相「後」と示す。）である第２フィールドが補間位相に対応し、第２フィールドは、時間的に前フィールド（すなわち、２フィールド遅延信号。図９（ｃ）においては補間位相「前」と示す。）である第１フィールドが、第３フィールドは時間的に後フィールドである第４フィールドが、第４、第５フィールドは時間的に前フィールドである第３、第４フィールドがそれぞれ補間位相に対応するように、繰り返される。そして、補間位相に応じてテレシネ補間を行うことで、元のフレーム（図８（ａ）のＡフレーム、Ｂフレーム、…に対応）へ復元されたプログレッシブ映像信号となり、出力される。
【００９３】
図１０（ａ）乃至（ｇ）は実施の形態１による映像信号処理装置におけるテレシネ検出手段６内のシーケンス検出手段１４の動作を説明するための図であり、同図（ａ）はフィールド番号、同図（ｂ）はテレシネ映像信号であるインターレース映像信号、同図（ｃ）はシーケンス検出手段１４内の第１の静止画検出手段２１ａの出力ｓｔｌ１、同図（ｄ）はシーケンス検出手段１４内の動画フィールドカウンタ２２の出力ｍｖｆ、同図（ｅ）はシーケンス検出手段１４内のテレシネシーケンス位相カウンタ２３の出力ｓｅｑ、同図（ｆ）はシーケンス検出手段１４内のテレシネ起動カウンタ２４の出力ｏｎｃｎｔ、同図（ｇ）はシーケンス検出手段１４内のシーケンス検出信号生成手段３６の出力ｔｃｉ０を示す。以下、テレシネシーケンス検出動作を、図７と図１０（ａ）乃至（ｇ）を用いて説明する。
【００９４】
テレシネ検出手段６内の差分検出手段１１は、現フィールド信号Ｉａと２フィールド遅延信号Ｉｃ間における１フレーム間差分情報を検出し、比較手段１２でこの１フレーム間差分情報を２値化し、所定エリア内累積カウンタ１３において、所定のエリア内の動画素となる画素の数を累積することで、フィールド内の動画素数を得る。図７においては、シーケンス検出手段１４へ１フィールド期間単位の動画素累積値ｃｎｔが入力され（ステップＳ１０１）、第１の静止画検出手段２１ａで動画素累積値ｃｎｔを所定の閾値ＳＴＬ＿ＴＨ１と比較する（ステップＳ１０２）。動画素累積値ｃｎｔが所定の閾値ＳＴＬ＿ＴＨ１より小さい場合は、そのフィールドについての静止画検出結果ｓｔｌ１を‘１’として、静止画フィールドを検出する（ステップＳ１０３）。それ以外の場合は、そのフィールドについての静止画検出結果ｓｔｌ１を‘０’として、動画フィールドを検出する（ステップＳ１０４）。
【００９５】
ここで、１フィールド期間単位の動画素累積値ｃｎｔはフィールド内の動画素を累積した値であるので、入力した現フィールド信号Ｉａと２フィールド遅延信号Ｉｃ間における差分に基づく静止画検出結果は、次のフィールド（１フィールド遅延信号Ｉｂ）にタイミングを合わせて出力される。よって、静止画検出結果ｓｔｌ１は、図１０（ｃ）に示されるように、入力信号の次フィールドにタイミングを合わせて出力され、第５フィールド及び第１０フィールドの後のフィールド位置（第６及び第１１フィールド）で、静止画検出結果ｓｔｌ１が‘１’（静止画、図中“Ｓ”）となり、５フィールドに一度完全静止画フィールドが検出される。
【００９６】
次に、動画フィールドカウンタ２２において、静止画検出結果ｓｔｌ１が‘１’の場合（ステップＳ１０５）には動画連続数ｍｖｆをゼロへリセットし（ステップＳ１０６）、静止画検出結果ｓｔｌ１が‘０’の場合（ステップＳ１０５）には１カウント（ステップＳ１０７）して、次フィールドにタイミングを合わせ、カウントした動画フィールドの連続数ｍｖｆを得る（図１０（ｄ））。テレシネシーケンス位相カウンタ２３においては、静止画検出結果ｓｔｌ１と前フィールドまでの動画連続数ｍｖｆにより、フィールド毎で５フィールド周期となる‘０’から‘４’までを繰り返しカウントする（ステップＳ１０８、Ｓ１１０）。但し、静止画検出結果ｓｔｌ１が‘１’であり、かつ、前フィールドまでの動画連続数ｍｖｆが‘４’であるとき、シーケンス位相カウント値ｓｅｑを‘０’にする（ステップＳ１０９）。
【００９７】
図１０（ｅ）はシーケンス位相カウント値ｓｅｑを示し、静止画検出結果ｓｔｌ１が‘１’であり、かつ、前フィールドまでの動画連続数ｍｖｆが‘４’であるときのフィールドで、シーケンス位相カウント値ｓｅｑが‘０’となっている。図１０（ｅ）に示されるように、シーケンス位相カウント値ｓｅｑは、５フィールド単位で繰り返されており、補間対象フィールドが１フィールド遅延信号であることから、シーケンス位相カウント値ｓｅｑは‘０’となるフィールドが、テレシネ映像信号の５フィールドに一度２フィールド前と同一のフィールドを繰り返したフィールドの位置となる。
【００９８】
図１１（ａ）乃至（ｅ）は実施の形態１による映像信号処理装置において、２−３プルダウンのテレシネ補間時に対し、シーケンス位相カウント値ｓｅｑと補間位相フラグ生成手段３５で生成される補間位相フラグｔｃｆの関係を説明するための図であり、同図（ａ）はフィールド番号、同図（ｂ）はテレシネシーケンス位相カウンタ２３の出力、同図（ｃ）は補間位相フラグｔｃｆ、同図（ｄ）は１フィールド遅延信号Ｉｂ、同図（ｅ）は補間後のプログレッシブ映像信号Ｐｒｏｇを示す。テレシネシーケンス位相カウント値ｓｅｑが‘１’又は‘３’の場合、入力された現フィールド信号と１フィールド遅延信号とが同一フレームからのフィールドとなり、テレシネシーケンス位相カウント値ｓｅｑが‘０’又は‘２’の場合は、２フィールド遅延信号と１フィールド遅延信号とが同一フレームからのフィールドシーケンスとなる。テレシネシーケンス位相カウント値ｓｅｑが‘４’の場合は、入力された現フィールド信号と２フィールド遅延信号が同一内容のフィールドである。よって、補間位相フラグ生成手段３５は、シーケンス位相カウント値ｓｅｑに応じて、補間位相フラグｔｃｆを決定する。例えば、シーケンス位相カウント値ｓｅｑが‘１’又は‘３’の場合は、入力された現フィールド信号（後フィールド）からテレシネ補間をするよう、補間位相フラグｔｃｆを‘０’とし、シーケンス位相カウント値ｓｅｑが‘０’又は‘２’の場合は２フィールド遅延信号（前フィールド）からテレシネ補間をするよう、補間位相フラグｔｃｆを‘１’とする。なお、シーケンス位相カウント値ｓｅｑが‘４’である場合には、現フィールド又は２フィールド遅延信号からテレシネ補間をできるが、１フレーム前のフィールドとの差分に基づきテレシネシーケンスを検出することを考慮し、２フィールド遅延信号（前フィールド）からテレシネ補間をする。
【００９９】
図７において、テレシネ起動カウンタ２４は、解除信号生成手段３４より、解除信号ｒｓｔとして値‘１’が入力された場合は、入力映像信号がテレシネ映像信号ではないとしてカウント値をリセット（ｏｎｃｎｔ＝０）する（ステップＳ１１１、Ｓ１１３）。テレシネ映像信号の入力の際は、解除信号ｒｓｔが‘０’であり（ステップＳ１１１）、静止画検出結果ｓｔｌ１と前フィールドまでの動画連続数ｍｖｆに基づき、テレシネシーケンスの条件を検出する（ステップＳ１１２）。静止画検出結果ｓｔｌ１が‘１’（静止画）であり、かつ、動画連続数ｍｖｆが‘４’のフィールドとき、テレシネシーケンスの繰り返し回数をカウントする（ステップＳ１１４）。
【０１００】
図１０（ｆ）は、テレシネ起動カウンタ２４におけるカウント値ｏｎｃｎｔを示す。静止画検出結果ｓｔｌ１が‘１’（静止画）であり、かつ、動画連続数ｍｖｆが‘４’であるフィールドのとき、カウント値ｏｎｃｎｔに‘１’を加算して（すなわち、ｏｎｃｎｔ←ｏｎｃｎｔ＋１）、テレシネシーケンスの繰り返し回数をカウントしている。シーケンス検出信号生成手段３６においては、テレシネシーケンスカウント値ｏｎｃｎｔと起動カウント値ＴＨ１を比較し、テレシネシーケンスカウント値ｏｎｃｎｔが起動カウント値ＴＨ１以上になり、ＴＨ１回連続してシーケンスが検出されると、シーケンス検出結果を示すテレシネシーケンス検出信号ｔｃｉ０を‘１’とする。図１０（ｇ）のテレシネシーケンス検出信号ｔｃｉ０は、シーケンスのカウントが、例えば、２回以上で入力映像信号がテレシネ映像信号であると検出する場合（ＴＨ１＝２の場合）を示している。したがって、５フィールドのテレシネシーケンスが２回以上連続して検出され、テレシネシーケンス検出信号ｔｃｉ０が‘１’になると、入力映像信号がテレシネ映像信号のシーケンス条件を満たしているとして、テレシネシーケンス検出信号ｔｃｉ０として‘１’が予測制御手段１６へと出力される。
【０１０１】
シーケンス検出手段１４からのテレシネシーケンス検出信号ｔｃｉ０は、出現頻度検出手段１５からの予測制御フラグｔｃｉｆｌｇとして‘１’が入力され、テレシネ映像信号であると判定されている場合に、予測制御手段１６における切換手段５０において、テレシネ映像信号の検出を示すテレシネ検出信号ｔｃｉとして出力される。予測制御手段１６において選択されたテレシネ検出信号ｔｃｉは、選択手段８へ制御信号として送られ、テレシネ検出信号ｔｃｉが‘０’（この場合、ｔｃｉ０＝０）のときは、図１における選択手段８においては、動き適応補間処理手段５からの信号を選択し、テレシネ検出信号ｔｃｉが‘１’（この場合、ｔｃｉ０＝１）のときは、テレシネ処理が起動され、テレシネ補間処理手段７からの信号を選択する。
【０１０２】
なお、テレシネ映像信号から、通常のテレビジョン放送等の映像信号へ切り換わった場合には、差分検出手段１１で検出される１フレーム間差分情報は大きな値となり、第１の静止画検出手段２１ａから出力される静止画検出結果ｓｔｌ１は、‘０’（動画）が連続することになる。よって、５フィールド連続してｓｔｌ１が‘０’となった時点で、動画連続検出手段２５から動画５フィールド連続の検出結果が解除信号生成手段３４へと出力され、解除信号生成手段３４からは、解除信号ｒｓｔとして値‘１’がテレシネ起動カウンタ２４へと送られる。そして、解除信号ｒｓｔとして‘１’が入力された場合は、入力映像信号がテレシネ映像信号ではないとしてカウント値をリセット（ｏｎｃｎｔ＝０）することになり（図７のステップＳ１１１、Ｓ１１３）、シーケンス検出信号生成手段３６において、テレシネシーケンス検出信号ｔｃｉ０が‘０’となる。
【０１０３】
また、テレシネ映像信号から、静止画フィールドが連続する映像信号へ切り換わった場合においては、差分検出手段１１で検出される１フレーム間差分情報は小さな値となり、第２の静止画検出手段２１ｂから出力される静止画検出結果ｓｔｌ２は‘１’（静止画）が連続することになる。よって、静止画連続検出手段２７で静止画フィールドが５フィールド連続してカウントされると、比較手段２８において静止画が５フィールド連続したことを検出し、検出結果が解除信号生成手段３４へ出力される。解除信号生成手段３４からは、値が‘１’の解除信号ｒｓｔがテレシネ起動カウンタ２４へと送られ、解除信号ｒｓｔとして‘１’が入力された場合は、入力映像信号がテレシネ映像信号ではないとしてカウント値をリセット（ｏｎｃｎｔ＝０）することになり（図７のステップＳ１１１、Ｓ１１３）、シーケンス検出信号生成手段３６において、テレシネシーケンス検出信号ｔｃｉ０が‘０’となる。
【０１０４】
図１２（ａ）乃至（ｋ）は実施の形態１による映像信号処理装置において、テレシネ映像信号の途中に、放送のための編集、ＣＭやテロップの挿入等により、フィールドシーケンスが変更し、シーケンスの規則性が乱れたテレシネ映像信号が入力端子１００から入力されたときの、テレシネ検出手段６の動作について説明するための図であり、同図（ａ）はフィールド番号、同図（ｂ）は入力映像信号Ｉａ、同図（ｃ）は第１の静止画検出手段２１ａの出力ｓｔｌ１、同図（ｄ）は動画フィールドカウンタ２２の出力ｍｖｆ、同図（ｅ）はテレシネシーケンス位相カウンタ２３の出力ｓｅｑ、（ｆ）は補間位相フラグｔｃｆ、同図（ｇ）は第３の静止画検出手段２１ｃの出力ｓｔｌ３、同図（ｈ）はシーケンス内静止画カウンタ３０の出力、同図（ｉ）はシーケンスずれ検出手段内の比較手段３１の出力ｄｂｅ、同図（ｊ）はテレシネ起動カウンタ２４の出力ｏｎｃｎｔ、同図（ｋ）はシーケンス検出手段１４から出力されるテレシネシーケンス検出信号ｔｃｉ０を示す。
【０１０５】
図１２（ｂ）は、テレシネ映像信号の途中の第６フィールドに編集点が存在し、第６フィールドＸｂでシーケンスの規則性が乱れた場合を示している。図１２（ｂ）においては、第３フィールドＢｔと第５フィールドＢｔとが同一内容のフィールドであり、第６フィールドＸｂと第８フィールドＸｂとが同一内容のフィールドの例である。
【０１０６】
図１２（ｃ）乃至（ｋ）は、図１２（ｂ）で示したようなテレシネ映像信号が入力された場合のテレシネ検出手段６内のシーケンス検出手段１４におけるテレシネシーケンス検出動作を説明するための図である。所定エリア内累積カウンタ１３からの動画素累積値ｃｎｔ入力と図１２（ｃ）乃至（ｆ）で示す第１の静止画検出手段２１ａにおける静止画フィールドの検出からテレシネシーケンス位相カウンタ２３、補間位相フラグ生成手段３５における基本的な動作は、上述したテレシネ映像信号の検出時と同様である。
【０１０７】
シーケンス検出手段１４へ入力された１フィールド期間単位の動画素累積値ｃｎｔは、第３の静止画検出手段２１ｃへも送られており、動画素累積値ｃｎｔを所定の閾値ＳＴＬ＿ＴＨ３と比較する。動画素累積値ｃｎｔが所定の閾値ＳＴＬ＿ＴＨ３より小さい場合は、そのフィールドについての静止画検出結果ｓｔｌ３を‘１’（静止画）とし、それ以外の場合は、検出結果ｓｔｌ３を‘０’（動画）とする。この動作は、上記第１の静止画検出手段２１ａの動作と同様である。静止画検出結果ｓｔｌ３は、図１２（ｇ）に示されるように、入力信号に対し次フィールドにタイミングを合わせて出力され、第５フィールド及び第８フィールドの後のフィールド位置（第６及び第９フィールド）で、静止画検出結果ｓｔｌ３が‘１’（静止画、図中“Ｓ”）となる。
【０１０８】
動画フィールドカウンタ２２は、前フィールドまでの動画フィールドの連続数ｍｖｆを出力する（図１２（ｄ））。テレシネシーケンス位相カウンタ２３は、５フィールドごとに‘０’から‘４’までを繰り返しカウントするが、静止画検出結果ｓｔｌ１が‘１’であり、かつ、前フィールドまでの動画連続数ｍｖｆが‘４’のフィールドにおいては、シーケンス位相カウント値ｓｅｑが‘０’となっている。
【０１０９】
第６フィールドで編集点が存在するため、第８フィールドの後（第９フィールド以降）で静止画検出結果ｓｔｌ１が‘１’であるにもかかわらず、動画フィールドの連続数ｍｖｆはｍｖｆが‘２’となり、シーケンス位相カウント値ｓｅｑはゼロへリセットされず、シーケンスの位相ずれが起こることになる。
【０１１０】
そこで、シーケンスずれ検出手段２９は、上記のような２−３プルダウンのシーケンス位相のずれを判別するため、５フィールドごとに一度の静止画フィールドとは異なるフィールドで静止画フィールドが存在することを検出する。
【０１１１】
シーケンスずれ検出手段２９内のシーケンス内静止画カウンタ３０は、テレシネシーケンス検出信号ｔｃｉ０が‘１’の場合、まず、シーケンス位相カウント値ｓｅｑが‘０’になるごとにカウンタ値をゼロへリセットする。図１２（ｈ）から、テレシネ映像信号のシーケンス位相が規則正しく送られた場合（第６フィールドまで）は、シーケンス位相カウント値ｓｅｑが‘０’であるフィールドが、動画が４フィールド連続後静止画となるフィールド（即ち、５フィールドごとに一度の静止画フィールド）となり、このフィールドにおいて、シーケンス内静止画カウンタ３０のカウント値がゼロへリセットされることになる。そして、次にゼロへリセットされるまでの間（次のフィールドシーケンスの静止画フィールドまで）に、第３の静止画検出手段２１ｃからの静止画検出結果ｓｔｌ３が‘１’（図１２（ｇ））となる場合をカウントする。これにより、５フィールドごとに一度の静止画フィールドとは異なるフィールドで静止画となる場合を検出し、その検出したフィールドの数を出力することとなる。図１２（ｈ）においては、第９フィールドで静止画検出結果ｓｔｌ３が‘１’となる時、シーケンス内静止画カウンタ３０において、静止画がカウントされる。
【０１１２】
シーケンスずれ検出手段２９における比較手段３１は、シーケンス内静止画カウンタ３０からのカウント値を所定の閾値（例えば、閾値を‘１’とする）と比較し、所定の閾値１以上の場合に、５フィールドのシーケンス途中における静止画の検出結果ｄｂｅを‘１’とする（図１２（ｉ））。
【０１１３】
そして、シーケンスずれ検出手段２９内の比較手段３１からの出力ｄｂｅは、解除信号生成手段３４へ出力される。解除信号生成手段３４においては、シーケンスずれ検出手段２９の結果を使用する設定の場合、比較手段３１からの出力ｄｂｅが‘１’のときに解除信号ｒｓｔを‘１’として、解除信号ｒｓｔをテレシネ起動カウンタ２４へと送る。解除信号ｒｓｔとして‘１’が入力された場合は、入力映像信号がテレシネ映像信号ではないとしてカウント値をリセット（ｏｎｃｎｔ＝０）することになり（図１２（ｊ））、シーケンス検出信号生成手段３６において、テレシネシーケンス検出信号ｔｃｉ０が‘０’となる（図１２（ｋ））。よって、テレシネ映像信号の途中にシーケンス位相のずれが検出された場合、テレシネシーケンス検出信号ｔｃｉ０が‘０’へ解除される。なお、解除後においても、シーケンス検出手段１４においては、上記テレシネ映像信号の検出の動作を行っており、５フィールドのシーケンスが規則正しく入力され、正確に検出されれば、入力映像信号がテレシネ映像信号のシーケンス条件を満たしているとして、再びテレシネシーケンス検出信号ｔｃｉ０が‘１’となり、予測制御手段１６へと出力される。
【０１１４】
出現頻度検出手段１５からの予測制御フラグｔｃｉｆｌｇが‘１’になり、テレシネ映像信号であると判定されている場合、予測制御手段１６における切換手段５０において、シーケンス検出手段１４からのテレシネシーケンス検出信号ｔｃｉ０がテレシネ映像信号の検出を示すテレシネ検出信号ｔｃｉとして出力される。予測制御手段１６において選択されたテレシネ検出信号ｔｃｉは、選択手段８へ制御信号として送られ、テレシネ検出信号ｔｃｉが‘０’（このとき、ｔｃｉ０＝０）のときは、選択手段８において動き適応補間処理手段５からの信号を選択し、テレシネ検出信号ｔｃｉが‘１’（この場合、ｔｃｉ０＝１）のときは、テレシネ処理が起動され、テレシネ補間処理手段７からの信号を選択する。
【０１１５】
図１３（ａ）乃至（ｆ）は実施の形態１による映像信号処理装置において、シーケンス位相のずれがある場合に、テレシネ検出信号ｔｃｉ（但し、予測制御フラグｔｃｉｆｌｇが‘１’でテレシネ映像信号であると判定されている場合）とシーケンス検出手段内のシーケンスずれ検出手段２９の結果によるテレシネ補間の動作を説明するための図であり、同図（ａ）はフィールド番号、同図（ｂ）はテレシネシーケンス位相カウンタ２３の出力ｓｅｑ、同図（ｃ）は補間位相フラグｔｃｆ、同図（ｄ）はテレシネ検出手段６から出力されるテレシネ検出信号ｔｃｉ、同図（ｅ）は１フィールド遅延信号Ｉｂ、同図（ｆ）は補間後のプログレッシブ映像信号Ｐｒｏｇを示す。テレシネ検出信号ｔｃｉが‘１’（このとき、ｔｃｉ０＝１である。）であるときは、テレシネ処理が行なわれ、テレシネ映像信号の途中に、フィールドシーケンスが変更されてシーケンスの規則性が乱れたことを検出した場合には、テレシネ検出信号ｔｃｉを‘０’（テレシネシーケンス検出信号ｔｃｉ０＝０）として、動き適応補間処理手段５からの信号を選択する。
【０１１６】
したがって、テレシネ映像信号の途中に、フィールドシーケンスが変更されてシーケンスの規則性が乱れたことを検出した場合には、テレシネシーケンス検出信号ｔｃｉ０をゼロとして、テレシネシーケンスの検出されたことを一時的に解除することができ、間違った位相のままテレシネ補間信号を行うことなく、テレシネシーケンスが正確に検出されるまでの間は、動き適応補間処理手段５からの信号を選択する。
【０１１７】
図１４（ａ）乃至（ｉ）は、シーンチェンジ検出手段３２の動作を説明するための図であり、同図（ａ）はフィールド番号、同図（ｂ）は現フィールド信号であるインターレース映像信号Ｉａ、同図（ｃ）は第１の静止画検出手段２１ａの出力ｓｔｌ１、同図（ｄ）は動画フィールドカウンタ２２の出力ｍｖｆ、同図（ｅ）はテレシネシーケンス位相カウンタ２３の出力ｓｅｑ、同図（ｆ）は補間位相フラグｔｃｆ、同図（ｇ）はシーンチェンジ検出手段３２の出力ｓｃｈ、同図（ｈ）はテレシネ起動カウンタ２４の出力ｏｎｃｎｔ、同図（ｉ）はシーケンス検出手段１４から出力されるテレシネシーケンス検出信号ｔｃｉ０を示す。図１４（ａ）乃至（ｉ）は、テレシネ映像信号の途中に、シーンチェンジが起こる映像信号が入力端子１００から入力されたときの、テレシネ検出手段６の動作について説明する。
【０１１８】
図１４（ｂ）は、テレシネ映像信号の途中の第６フィールドに編集点が存在し、第６フィールドＸｂでシーンチェンジが起こる場合を示している。図１４（ｂ）は、第３フィールドＢｔと第５フィールドＢｔとが同一内容のフィールドである例を示している。
【０１１９】
図１４（ｃ）乃至（ｉ）は、図１４（ｂ）で示したようなテレシネ映像信号が入力された場合のシーケンス検出手段１４におけるテレシネシーケンス検出動作を示す。所定エリア内累積カウンタ１３からの動画素累積値ｃｎｔ入力と図１４（ｃ）乃至（ｆ）で示す第１の静止画検出手段２１ａにおける静止画フィールドの検出からテレシネシーケンス位相カウンタ２３、補間位相フラグ生成手段３５における基本的な動作は、上述したテレシネ映像信号の検出時と同様である。
【０１２０】
シーケンス検出手段１４へ入力された１フィールド期間単位の動画素累積値ｃｎｔは、シーンチェンジ検出手段３２へも送られており、動画素累積値ｃｎｔを閾値ＳＴＨと比較し、そのフィールドにおけるシーンチェンジを検出する。シーンチェンジにおいては、フィールド内のほとんどの画素が動画素と判定されるため、１フレーム前のフィールドからの差分に基づく動画素累積値ｃｎｔは、通常のシーケンス内における値と比較して大きく変化する。よって、シーンチェンジ検出手段３２は、動画素累積値ｃｎｔが閾値ＳＴＨより大きい場合、そのフィールドでシーンチェンジがあったとして、シーンチェンジ検出結果ｓｃｈとして値‘１’を出力する。
【０１２１】
シーンチェンジ検出結果ｓｃｈは、１フレーム前との差分情報に基づく動画素累積値ｃｎｔと比較するため、図１４（ｇ）にあるように、入力信号に対し次フィールドにタイミングを合わせて出力され、第５フィールドの後のフィールド位置（第６フィールド）で、シーンチェンジ検出結果ｓｃｈが‘１’となる。
【０１２２】
そして、シーンチェンジ検出手段３２からのシーンチェンジ検出結果ｓｃｈは、解除信号生成手段３４へ出力される。解除信号生成手段３４においては、シーンチェンジ検出手段３２における検出結果を使用する設定の場合、シーンチェンジ検出結果ｓｃｈが‘１’のときに解除信号ｒｓｔを‘１’としてテレシネ起動カウンタ２４へと送る。解除信号ｒｓｔとして‘１’が入力された場合は、入力映像信号がテレシネ映像信号ではないとしてカウント値をリセット（ｏｎｃｎｔ＝０）することになり（図１４（ｈ））、シーケンス検出信号生成手段３６において、テレシネシーケンス検出信号ｔｃｉ０が‘０’となる（図１４（ｉ））。よって、テレシネ映像信号の途中にシーンチェンジが検出された場合、テレシネシーケンス検出信号ｔｃｉ０が‘０’へ解除される。なお、解除後においても、シーケンス検出手段１４においては、上記テレシネ映像信号の検出の動作を行っており、５フィールドのシーケンスが規則正しく入力され、正確に検出されれば、入力映像信号がテレシネ映像信号のシーケンス条件を満たしているとして、再びテレシネシーケンス検出信号ｔｃｉ０が‘１’となり、テレシネシーケンス検出信号ｔｃｉ０が‘１’が予測制御手段１６へと出力される。
【０１２３】
以下、出現頻度検出手段１５及び予測制御手段１６における動作は、上記のシーケンス位相のずれがある場合の動作と同様であるが、テレシネ映像信号の途中に、シーンチェンジが検出された場合には、テレシネシーケンス検出信号ｔｃｉ０をゼロとして、テレシネシーケンスの検出されたことを一時的に解除することができる。このように動作する場合には、間違った位相のままテレシネ補間信号を行うことなく、テレシネシーケンスが正確に検出されるまでの間は、選択手段８は、動き適応補間処理手段５からの信号を選択して出力することになる。
【０１２４】
図１５（ａ）乃至（ｆ）は、実施の形態１による映像信号処理装置においてシーンチェンジが検出された場合に、テレシネ検出信号ｔｃｉ（但し、予測制御フラグｔｃｉｆｌｇ＝１でテレシネ映像信号であると判定されている場合）とテレシネ補間の関係を説明するための図であり、同図（ａ）はフィールド番号、同図（ｂ）はテレシネシーケンス位相カウンタの出力ｓｅｑ、同図（ｃ）は補間位相フラグｔｃｆ、同図（ｄ）はテレシネ検出手段６から出力されるテレシネ検出信号ｔｃｉ、同図（ｅ）は１フィールド遅延信号（補間フィールドの信号）、（ｆ）は補間後のプログレッシブ信号Ｐｒｏｇを示す。図１５（ａ）乃至（ｆ）に示されるように、テレシネ検出信号ｔｃｉが‘１’（このとき、ｔｃｉ０＝１である。）のときには（すなわち、フィールド番号が‘６’以前のときには）、テレシネ処理が行なわれ、テレシネ映像信号の途中にシーンチェンジを検出した場合には（すなわち、フィールド番号が‘７’以降のときには）、テレシネ検出信号ｔｃｉが‘０’（テレシネシーケンス検出信号ｔｃｉ０＝０）となり、選択手段８が、動き適応補間処理手段５からの信号を選択する。
【０１２５】
以上より、実施の形態１のシーケンス検出手段１４によれば、１フレーム間差分情報から静止画フィールドを検出し、５フィールドのテレシネシーケンスの繰り返し条件を検出すると共に、シーケンスずれ検出手段２９で静止画フィールドによる位相ずれを検出し、シーンチェンジ検出手段３２においてはシーケンス途中の編集点におけるシーンチェンジを検出して、シーケンス検出信号生成手段３６におけるテレシネシーケンス検出信号ｔｃｉ０を一時的に解除（ｔｃｉ０＝０）する。よって、テレシネ映像信号中のシーケンス位相のずれや、シーンチェンジによる編集点が存在した場合においても、テレシネ映像信号の検出を安定に行い、ＩＰ変換で発生するコーミング現象による画質劣化を低減し、良好なテレシネ映像信号のＩＰ変換を行うことができる。
【０１２６】
次に、出現頻度検出手段１５及び予測制御手段１６において実行される動作であって、入力映像信号のシーケンスを監視し、テレシネシーケンスの出現頻度を検出することで、テレシネ映像信号であることの確からしさを判定し、テレシネシーケンス検出信号ｔｃｉ０を制御する動作について具体的に説明する。出現頻度検出手段１５は、入力映像信号におけるシーケンス条件を比較的長い時間（フィールド）にわたって監視し、テレシネシーケンスの出現頻度を検出することで、テレシネ映像信号であることの確からしさを判定する。
【０１２７】
図１６は、本発明の実施の形態１による映像信号処理装置における出現頻度検出手段１５の動作を説明するためのフローチャートである。図１６のフローチャートには、出現頻度検出手段１５が、入力映像信号のシーケンス（すなわち、シーケンス検出手段１４の出力）を監視し、テレシネシーケンスの出現頻度を検出することによって、入力映像信号がテレシネ映像信号であることの確からしさを判定し、予測制御フラグｔｃｉｆｌｇを生成するまでの処理が示されている。なお、上述したように、テレシネ検出はフィールド毎に行われ、図１６に示す処理は、１フィールド単位で実行される。
【０１２８】
まず、図８（ｂ）に示されるような２−３プルダウンテレシネ映像信号が入力された場合の出現頻度検出手段１５の動作を、図１６のフローチャートに基づいて説明する。
【０１２９】
図１６に示されるように、出現頻度検出手段１５内の出現頻度カウンタ４０は、静止画検出結果ｓｔｌ１が‘１’（すなわち、静止画）であり、かつ、前フィールドまでの動画連続数ｍｖｆが‘４’であるテレシネシーケンスの条件を満たしているか否かを判定する（ステップＳ２０１）。テレシネシーケンスの条件を満たしている場合には、出現頻度カウンタの出現頻度カウント値ｔｃに値Ａｄを加算する（すなわち、ｔｃ←ｔｃ＋Ａｄとする）（ステップＳ２０３）。次に、予測制御フラグ生成手段４５において、出現頻度カウント値ｔｃと有効カウント値ＴＨ２を比較し、テレシネ映像信号であることの確からしさを判定する（ステップＳ２０８）。出現頻度カウント値ｔｃが有効カウント値ＴＨ２以上になったとき、テレシネ映像信号であると判定し、予測制御フラグｔｃｉｆｌｇを‘１’とする（ステップＳ２１０）。なお、テレシネ映像信号らしいと判定されるまでのフィールド期間（すなわち、出現頻度カウント値ｔｃが有効カウント値ＴＨ２以上となる以前の期間）は、予測制御フラグｔｃｉｆｌｇを‘０’とする（ステップＳ２０９）。
【０１３０】
図１７（ａ）及び（ｂ）は、出現頻度検出手段１５における、テレシネ映像信号入力時の動作を説明するための図であり、同図（ａ）は出現頻度カウンタ４０からの出力値（出現頻度カウント値）ｔｃ、同図（ｂ）は予測制御フラグ生成手段４５で生成される予測制御フラグｔｃｉｆｌｇを示す。図１７（ａ）及び（ｂ）において、入力映像信号Ｉａがテレシネ映像信号である場合は、テレシネシーケンスの条件（静止画検出結果ｓｔｌ１＝１、かつ、動画連続数ｍｖｆ＝４）が５フィールド毎に検出されるので、出現頻度カウント値ｔｃは、テレシネシーケンスの条件を満たしているか否かを判定する毎に、値Ａｄが加算される（すなわち、ｔｃ←ｔｃ＋Ａｄ）される（図１７（ａ）及び（ｂ）の期間ａ及びｂ）。なお、出現頻度カウント値ｔｃが最大値ＴＭＡＸに達すると、カウント値ｔｃは最大値ＴＭＡＸへクリップされるものとする（図１７（ａ）及び（ｂ）の期間ｂ内の値ＴＭＡＸの期間）。
【０１３１】
そして、入力映像信号を比較的長い時間にわたって監視し、予測制御フラグ生成手段４５において、出現頻度カウント値ｔｃが有効カウント値ＴＨ２以上になった時点で、テレシネ映像信号であると判定し、予測制御フラグｔｃｉｆｌｇを‘１’とする（図１７（ａ）及び（ｂ）の期間ｃ）。予測制御フラグｔｃｉｆｌｇが‘１’である間は、予測制御手段１６は、シーケンス検出手段１４によるテレシネシーケンス検出信号ｔｃｉ０を選択し、テレシネ映像信号の検出を示すテレシネ検出信号ｔｃｉとして出力し、テレシネ処理の起動が制御される。
【０１３２】
なお、テレシネ映像信号から、通常のテレビジョン放送等へ映像信号が切り換わった場合（図１７（ａ）の期間ｄの場合）には、解除信号生成手段３４によりシーケンス検出手段１４によるテレシネシーケンス検出信号ｔｃｉ０が解除（ｔｃｉ０＝０）され、テレシネ検出信号ｔｃｉも解除（ｔｃｉ＝０）となる。さらに、出現頻度検出手段１５においても、５フィールド目の位相（すなわち、テレシネシーケンス位相カウント値ｓｅｑが‘０’である位置であり、５フィールドに一度の静止画の位置）において、テレシネシーケンスの条件が検出されないため（図１６のステップＳ２０４）、出現頻度カウント値ｔｃから所定値Ｓｕを減算する（すなわち、ｔｃ←ｔｃーＳｕ）（図１６のステップＳ２０５，Ｓ２０７）。出現頻度カウント値ｔｃが有効カウント値ＴＨ２より小さいくなると、テレシネ映像信号らしくないと判定し、予測制御フラグｔｃｉｆｌｇは生成せず、ｔｃｉｆｌｇが‘０’となる。よって、予測制御手段１６において、予測制御フラグｔｃｉｆｌｇが‘０’の場合は、テレシネ検出信号ｔｃｉが‘０’となり、テレシネシーケンス検出信号ｔｃｉ０が一時的に通常のテレシネシーケンスの条件を満たし、テレシネシーケンス検出信号ｔｃｉ０が‘１’であっても、テレシネ処理が起動はされない。
【０１３３】
次に、テレシネ映像信号を編集しており、図１２（ａ）乃至（ｋ）、図１４（ａ）乃至（ｉ）に示すような編集点が映像信号途中に存在し、テレシネシーケンスの不連続が頻繁に起こる映像信号が入力端子１００から入力された場合における、出現頻度検出手段１５の動作について説明する。
【０１３４】
出現頻度検出手段１５内の出現頻度カウンタ４０においては、静止画検出結果ｓｔｌ１が‘１’であり（静止画）、かつ、動画連続数ｍｖｆが‘４’となるテレシネシーケンスの条件を検出する場合は（図１６のステップＳ２０１）、出現頻度カウント値ｔｃに値Ａｄを加算（すなわち、ｔｃ←ｔｃ＋Ａｄ）する（図１６のステップＳ２０３）。一方、テレシネシーケンスの条件が検出されず、５フィールド目の位相、すなわち、テレシネシーケンス位相カウント値ｓｅｑが‘０’となると（図１６のステップＳ２０４）、静止画連続検出手段４１により、５フィールド連続して静止画が検出されているときは、加減算を行わない（すなわち、ｔｃ←ｔｃ±０）（図１６のステップＳ２０５，Ｓ２０６）。これは、静止画連続時は、テレシネシーケンスか否かどちらにも判定できないためである。５フィールド連続して静止画検出でない場合には、テレシネシーケンスと判定されないとして、出現頻度カウント値ｔｃから所定値Ｓｕを減算する（すなわち、ｔｃ←ｔｃ−Ｓｕ）とする（図１６のステップＳ２０７）。なお、テレシネシーケンス位相カウント値ｓｅｑが‘０’で静止画が検出されているとき（静止画検出結果ｓｔｌ１＝１）は、加減算を行わないようにすることもできる（図１６のステップＳ２０５，Ｓ２０６）。このときは、５フィールドに一度の静止画の位置において、静止画検出結果ｓｔｌ１＝０（動画）となる（テレシネシーケンス位相カウント値ｓｅｑが‘０’で静止画検出結果ｓｔｌ１＝０である）場合に、テレシネシーケンスと判定せず、出現頻度カウント値ｔｃから所定値Ｓｕを減算することになる（ステップＳ２０７）。
【０１３５】
予測制御フラグ生成手段４５において、出現頻度カウント値ｔｃと有効カウント値ＴＨ２を比較し、テレシネ映像信号であることの確からしさを判定する（図１６のステップＳ２０８）が、編集点が頻繁にあり、シーケンスの不連続が起こると、テレシネシーケンスの条件が検出されないため、出現頻度カウント値ｔｃが有効カウント値ＴＨ２に達することはない。よって、テレシネ映像信号らしくないと判定され、予測制御フラグｔｃｉｆｌｇは生成されず、ｔｃｉｆｌｇが‘０’のままとなる（図１６のステップＳ２０９）。
【０１３６】
図１８（ａ）及び（ｂ）は、出現頻度検出手段１５において、編集点が頻繁に存在するテレシネ映像信号入力時の動作を説明するための図であり、同図（ａ）は出現頻度カウンタ４０からの出力値（出現頻度カウント値）ｔｃ、同図（ｂ）は予測制御フラグ生成手段４５で生成される予測制御フラグｔｃｉｆｌｇを示す。図１８（ａ）及び（ｂ）において、テレシネシーケンスの不連続が頻繁に起こる場合は、５フィールド毎にテレシネシーケンスの条件を検出する頻度が少なく、テレシネシーケンスの条件を検出して出現頻度カウント値ｔｃを加算（すなわち、ｔｃ←ｔｃ＋Ａｄ）する頻度よりも、出現頻度カウント値ｔｃを減算（すなわち、ｔｃ←ｔｃ−Ｓｕ）する頻度が多くなる。なお、出現頻度カウント値ｔｃが負の値となる場合は、カウント値は０へクリップされるものとする。
【０１３７】
よって、入力映像信号を比較的長い時間にわたって監視すると、予測制御フラグ生成手段４５において、出現頻度カウント値ｔｃが有効カウント値ＴＨ２へ達することはなく、テレシネ映像信号らしくない（すなわち、テレシネ映像信号である可能性が低い）と判定し、予測制御フラグｔｃｉｆｌｇを‘０’にする。予測制御手段１６は、予測制御フラグｔｃｉｆｌｇが‘０’のときは、シーケンス検出手段１４によるテレシネシーケンス検出信号ｔｃｉ０を選択せず、選択信号ｔｃｉとして固定値‘０’を選択して出力する。
【０１３８】
そして、予測制御手段１６により制御されたテレシネ映像信号の検出を示すテレシネ検出信号ｔｃｉは、選択手段８へ制御信号として送られる。予測制御手段１６により、テレシネ映像信号らしくない（すなわち、テレシネ映像信号である可能性が低い）と判定された場合は、テレシネ検出信号ｔｃｉが‘０’として出力されるので、図１における選択手段８は、テレシネ映像信号ではない通常の映像信号であるとして動き適応補間処理手段５からの信号Ｉｍを選択する。
【０１３９】
以上説明したように、実施の形態１の映像信号処理装置又は映像信号処理方法によれば、順次入力されるインターレース映像信号Ｉａが５フィールドのテレシネシーケンスの繰り返し条件を満たすか否かを検出すると共に、テレシネシーケンスの繰り返し条件を満たすフィールドシーケンスの出現頻度を計測し、これらの結果ｔｃｉ０及びｔｃｉｆｌｇに基づいて映像信号がテレシネ変換されたものであるか否かを示すテレシネ検出信号ｔｃｉを出力するようにしている。このように、映像信号Ｉａがテレシネシーケンスの繰り返し条件を満たすか否かの検出結果ｔｃｉ０に加え、比較的長い期間（フィールド）にわたって監視した結果であり、テレシネ変換された映像信号であることの確からしさを示す指標としての意味を持つフィールドシーケンスの出現頻度フラグｔｃｉｆｌｇに基づいたテレシネ検出信号ｔｃｉを出力するようにしているので、テレシネ検出信号ｔｃｉの信頼度が向上している。したがって、実施の形態１の映像信号処理装置又は映像信号処理方法によれば、テレシネ検出信号ｔｃｉの信頼度の向上によって、テレシネ検出信号ｔｃｉに基づいて選択される補間走査線信号Ｉｍ又はＩｔを適切に選択することができる（例えば、編集点が頻繁に存在し、テレシネシーケンスの不連続が頻繁に起こる映像信号テレシネ映像信号らしくないと判定してテレシネ検出信号ｔｃｉをテレシネ映像信号ではないとする（ｔｃｉ＝０）よう制御できるので、例えば、一時的にテレシネシーケンスの条件を満たしても、テレシネ補間をしないように制御することができる。）。このため、テレシネ変換された映像信号の途中でテレシネ変換された映像信号以外の信号が混在する場合等において発生することがあるコーミング現象による画質劣化の発生頻度を低減し、テレシネ変換された映像信号を良好なプログレッシブ映像信号Ｐｒｏｇに変換することができる。
【０１４０】
なお、上記説明においては、相関検出手段１２０内の所定エリア内累積カウンタ１３が１フィールドの所定エリア内の動画素数を求め、シーケンス検出手段１４が動画素数を所定の閾値と比較することによって静止画フィールドの検出及びシーンチェンジの検出を行っている。しかし、本発明は、このような態様に限定されるものではなく、所定エリア内累積カウンタ１３が１フィールドの所定エリア内の静止画素の数を求め、シーケンス検出手段１４が静止画素の数を所定の閾値と比較することによって静止画フィールドの検出及びシーンチェンジの検出を行うなどのように、１フレーム前のフィールドとの相関の強さを求めることができる他の態様を採用してもよい。
【０１４１】
また、上記説明においては、テレシネ検出手段６内の差分検出手段１１により１フレーム間の差分情報を検出する態様を説明したが、本発明は、このような態様に限定されるものではなく、現フィールド信号Ｉａと２フィールド遅延信号Ｉｃ間の差分情報を求めている動き検出手段４における１フレーム差分情報を用いてテレシネ映像信号の検出を行うように構成してもよい。
【０１４２】
さらに、上記説明においては、テレシネ検出手段６内の差分検出手段１１が１フレーム間の差分の絶対値を計算し、差分情報として出力する態様を説明した。しかし、本発明は、このような態様に限定されるものではなく、差分の絶対値に所定の値を乗算し、所定値を減算する等の非線形変換を行い、変換した値を１フレーム間差分情報としてもよく、得られた１フレーム差分情報から１フレーム間の相関の強さが検出でき、フィールドが静止画フィールドか、動画フィールドかを検出できる態様であれば他の態様を採用してもよい。
【０１４３】
さらにまた、上記説明においては、シーケンス検出手段１４内のテレシネシーケンス位相カウンタ２３が５フィールドごとに‘０’から‘４’までを繰り返しカウントし、静止画検出結果ｓｔｌ１が‘１’であり（静止画）、かつ、動画連続数ｍｖｆが‘４’であるのときにゼロへリセットする態様を説明したが、繰り返しの値とリセット値はこれに限るものではない。本発明は、５フィールドごとで繰り返す信号であり、静止画検出結果ｓｔｌ１が‘１’であり（静止画）、かつ、動画連続数ｍｖｆが‘４’である場合、すなわち、５フィールドごとに１回ある静止画フィールドに対して同期し、所定値へリセットされる態様であれば、他の態様にも適用可能である。
【０１４４】
また、上記説明においては、通常の映像信号に対するＩＰ変換においては動き適応補間処理を行うように説明したが、本発明は、このような態様に限定されるものではなく、フィールド内補間処理のみによる補間信号を用いる態様のような他の態様であってもよい。
【０１４５】
さらに、上記説明においては、映像信号処理装置の各構成がハードウェア構成であるように説明しているが、本発明を、プログラム制御におけるソフトウェアの処理により実現するように構成してもよい。
【０１４６】
実施の形態２．
上記実施の形態１においては、入力映像信号がテレシネ映像信号であるか否かを検出し、その検出結果に基づいてＩＰ変換を行う映像信号処理装置及び映像信号処理方法について説明したが、本発明は、入力映像信号としてのインターレース映像信号をプログレッシブ映像信号にＩＰ変換し、高画質で表示する映像信号表示装置にも適用できる。実施の形態２においては、ＴＶ放送信号やＤＶＤ、ＶＴＲ等の記録再生装置等から入力されるインターレース映像信号を処理し、上記実施の形態１の映像信号処理装置又は映像信号処理方法によりプログレッシブ映像信号にＩＰ変換し、この変換されたプログレッシブ映像信号に基づいて映像を表示する映像信号表示装置について説明する。
【０１４７】
図１９は、本発明の実施の形態２による映像信号表示装置の構成を示すブロック図である。図２において、図１の構成と同一又は対応する構成には、同じ符号を付す。図１９に示されるように、実施の形態２の映像信号表示装置は、上記実施の形態１の映像信号処理装置（図１参照）の構成に加え、入力端子２００と、入力信号処理手段２０１と、表示処理手段２０２と、表示手段２０３とを設け、ＩＰ変換した後のプログレッシブ映像信号Ｐｒｏｇを表示するように構成したものである。これら入力端子２００、入力信号処理手段２０１、表示処理手段２０２、及び表示手段２０３に関する部分以外の構成及び動作は、上記実施の形態１に示されるものと同じである。
【０１４８】
入力端子２００には、ＴＶ放送信号やＤＶＤ，ＶＴＲ等の記録再生装置等からの信号が入力される。入力端子２００に入力された信号は、入力信号処理手段２０１へと送られる。ここで、ＴＶ放送信号やＤＶＤ，ＶＴＲ等から送られる信号は、ＮＴＳＣ方式信号やハイビジョン信号等の標準的なテレビジョン信号であり、インターレース映像信号である。
【０１４９】
入力信号処理手段２０１は、ＴＶ放送信号やＤＶＤ，ＶＴＲ等の記録再生装置等からの信号に対し、例えば、アナログ信号からデジタル信号への変換、同期信号を分離する等の入力信号処理を施す。入力信号処理手段２０１の出力は、インターレース映像信号Ｉａとして、タイミング信号発生手段１、１フィールド遅延手段２、補間信号生成手段１１０、及びテレシネ検出手段６へ入力される。
【０１５０】
倍速変換手段９は、プログレッシブ映像信号Ｐｒｏｇを表示処理手段２０２へと出力する。
【０１５１】
表示処理手段２０２には、倍速変換手段９からのＩＰ変換されたプログレッシブ映像信号Ｐｒｏｇが入力される。表示処理手段２０２は、プログレッシブ映像信号Ｐｒｏｇに、例えば、スケーリング処理等の表示信号へと変換するための信号処理を施し、プログレッシブ映像として表示するための表示信号として表示手段２０３へ出力する。
【０１５２】
表示手段２０３は、表示処理手段２０２からの表示信号に基づく映像をプログレッシブ映像として表示する。
【０１５３】
以上に説明したように、実施の形態２の映像信号表示装置によれば、実施の形態１の映像信号処理装置又は映像信号処理方法を用いているので、コーミング現象による画質劣化を低減した良好なプログレッシブ映像信号に基づく高品質な映像を表示することができる。
【図面の簡単な説明】
【０１５４】
【図１】本発明の実施の形態１による映像信号処理装置の構成を示すブロック図である。
【図２】実施の形態１による映像信号処理装置におけるシーケンス検出手段の構成を示すブロック図である。
【図３】実施の形態１による映像信号処理装置における相関検出手段内の所定エリア内累積カウンタから出力される動画素累積値とフィールド番号との関係（テレシネ映像信号の場合）を示す図である。
【図４】実施の形態１による映像信号処理装置における相関検出手段内の所定エリア内累積カウンタから出力される動画素累積値とフィールド番号との関係（シーンチェンジのある場合）を示す図である。
【図５】実施の形態１による映像信号処理装置における出現頻度検出手段の構成を示すブロック図である。
【図６】実施の形態１による映像信号処理装置における予測制御手段の構成を示すブロック図である。
【図７】実施の形態１による映像信号処理装置におけるシーケンス検出手段の動作を説明するためのフローチャートである。
【図８】（ａ）乃至（ｃ）は２−３プルダウン方式のテレシネ変換を示す図であり、（ａ）は２４コマ／秒のフィルム映像、（ｂ）は２−３プルダウン方式でテレシネ変換されたテレシネ映像信号、（ｃ）はフィールド番号を示す。
【図９】（ａ）乃至（ｄ）はテレシネ映像信号を検出してＩＰ変換する場合のテレシネ補間と補間位相フラグの関係を説明するための図であり、（ａ）はフィールド番号、（ｂ）はテレシネ映像信号であるインターレース映像信号、（ｃ）は補間位相、（ｄ）はプログレッシブ映像信号を示す。
【図１０】（ａ）乃至（ｇ）は実施の形態１による映像信号処理装置におけるシーケンス検出手段の動作を説明するための図であり、（ａ）はフィールド番号、（ｂ）はテレシネ映像信号であるインターレース映像信号、（ｃ）は第１の静止画検出手段の出力、（ｄ）は動画フィールドカウンタの出力、（ｅ）はテレシネシーケンス位相カウンタの出力、（ｆ）はテレシネ起動カウンタの出力、（ｇ）はシーケンス検出信号生成手段の出力を示す。
【図１１】（ａ）乃至（ｅ）は実施の形態１による映像信号処理装置におけるシーケンス検出手段における補間位相とテレシネ補間の動作を説明するための図であり、（ａ）はフィールド番号、（ｂ）はテレシネシーケンス位相カウンタの出力、（ｃ）は補間位相フラグ、（ｄ）は１フィールド遅延信号、（ｅ）は補間後のプログレッシブ映像信号を示す。
【図１２】（ａ）乃至（ｋ）は実施の形態１による映像信号処理装置におけるシーケンスずれ検出手段の動作を説明するための図であり、（ａ）はフィールド番号、（ｂ）はテレシネ映像信号であるインターレース映像信号、（ｃ）は第１の静止画検出手段の出力、（ｄ）は動画フィールドカウンタの出力、（ｅ）はテレシネシーケンス位相カウンタの出力、（ｆ）は補間位相フラグ、（ｇ）は第３の静止画検出手段の出力、（ｈ）はシーケンス内静止画カウンタの出力、（ｉ）はシーケンスずれ検出手段内の比較手段の出力、（ｊ）はテレシネ起動カウンタの出力、（ｋ）はシーケンス検出信号生成手段の出力を示す。
【図１３】（ａ）乃至（ｆ）は実施の形態１による映像信号処理装置においてシーケンス位相のずれがある場合の、テレシネ検出信号とテレシネ補間の関係を説明するための図であり、（ａ）はフィールド番号、（ｂ）はテレシネシーケンス位相カウンタの出力、（ｃ）は補間位相フラグ、（ｄ）はテレシネ検出手段から出力されるテレシネ検出信号、（ｅ）は１フィールド遅延信号、（ｆ）は補間後のプログレッシブ映像信号を示す。
【図１４】（ａ）乃至（ｉ）は実施の形態１による映像信号処理装置のシーンチェンジ検出手段の動作を説明するための図であり、（ａ）はフィールド番号、（ｂ）はテレシネ映像信号であるインターレース映像信号、（ｃ）は第１の静止画検出手段の出力、（ｄ）は動画フィールドカウンタの出力、（ｅ）はテレシネシーケンス位相カウンタの出力、（ｆ）は補間位相フラグ、（ｇ）はシーンチェンジ検出手段の出力、（ｈ）はテレシネ起動カウンタの出力、（ｉ）はシーケンス検出信号生成手段の出力を示す。
【図１５】（ａ）乃至（ｆ）は実施の形態１による映像信号処理装置においてシーンチェンジが検出された場合に、テレシネ検出信号とテレシネ補間の関係を説明するための図であり、（ａ）はフィールド番号、（ｂ）はテレシネシーケンス位相カウンタの出力、（ｃ）は補間位相フラグ、（ｄ）はテレシネ検出手段から出力されるテレシネ検出信号、（ｅ）は１フィールド遅延信号、（ｆ）は補間後のプログレッシブ信号を示す。
【図１６】実施の形態１による映像信号処理装置における出現頻度検出手段の動作を説明するためのフローチャートである。
【図１７】（ａ）及び（ｂ）は実施の形態１による映像信号処理装置における出現頻度検出手段のテレシネ映像信号入力時の動作を説明するための図であり、（ａ）は出現頻度カウンタからの出力値、（ｂ）は予測制御フラグ生成手段から出力される予測制御フラグを示す。
【図１８】（ａ）及び（ｂ）は実施の形態１による映像信号処理装置における出現頻度検出手段の、編集点が頻繁に存在するテレシネ映像信号入力時の動作を説明するための図であり、（ａ）は出現頻度カウンタからの出力値、（ｂ）は予測制御フラグ生成手段から出力される予測制御フラグを示す。
【図１９】本発明の実施の形態２による映像信号表示装置の構成を示すブロック図である。
【符号の説明】
【０１５５】
１  タイミング信号発生手段、  ２，３  １フィールド遅延手段、  ４  動き検出手段、  ５  動き適応補間処理手段、  ６  テレシネ検出手段、  ７  テレシネ補間処理手段、  ８  選択手段、  ９  倍速変換手段、  １１  差分検出手段、  １２  比較手段、  １３  所定エリア内累積カウンタ、  １４  シーケンス検出手段、  １５  出現頻度検出手段、  １６  予測制御手段、  ２１ａ，２１ｂ，２１ｃ  静止画検出手段、  ２２  動画フィールドカウンタ、  ２３  テレシネシーケンス位相カウンタ、  ２４  テレシネ起動カウンタ、  ２５  動画連続検出手段、  ２７  静止画連続検出手段、  ２８  比較手段、  ２９  シーケンスずれ検出手段、  ３０  シーケンス内静止画カウンタ、  ３１  比較手段、  ３２  シーンチェンジ検出手段、  ３３  比較閾値設定手段、  ３４  解除信号生成手段、  ３５  補間位相フラグ生成手段、  ３６  シーケンス検出信号生成手段、  ３７  起動カウント値設定手段、  ４０  出現頻度カウンタ、  ４１  静止画連続検出手段、  ４２  カウント値調整手段、  ４３  最大値設定手段、  ４４  カウント値初期化手段、  ４５  予測制御フラグ生成手段、  ４６  有効カウント値設定手段、  ５０  切換手段、  １００，２００  入力端子、  １０１  出力端子、  １１０  補間信号生成手段、  １２０  相関検出手段、  １４１  シーケンス位相検出手段、  １４２  テレシネシーケンス判定手段、  １４３  テレシネ解除検出手段、  １５１  シーケンス判定回数検出手段、  １５２  確からしさ判定手段、  ２０１  入力信号処理手段、  ２０２  表示処理手段、  ２０３  表示手段、  ｃｎｔ  動画素累積値、  ｄｅｔｍ  動き検出信号、  Ｉａ  現フィールド信号（インターレース映像信号、入力映像信号）、  Ｉｂ，Ｒ  １フィールド遅延信号、  Ｉｃ  ２フィールド遅延信号、  Ｉｍ  補間走査線信号、  Ｉｔ  補間信号（テレシネ補間信号）、  Ｉ  選択された補間走査線信号、  ｍｖｆ  動画フィールドカウンタ出力、  ｏｎｃｎｔ  テレシネ起動カウンタ出力、  Ｐｒｏｇ  プログレッシブ映像信号、  ｓｅｑ  テレシネシーケンス位相カウンタ出力、  ｓｔｌ１，ｓｔｌ２，ｓｔｌ３  静止画検出信号、  ｔｃｉ  テレシネ検出信号、  ｔｃｉ０  テレシネシーケンス検出信号、  ｔｃｉｆｌｇ  予測制御フラグ、  ｔｅ  エリア信号。
【図１】
2006094257.tif 000003
【図２】
2006094257.tif 000004
【図３】
2006094257.tif 000005
【図４】
2006094257.tif 000006
【図５】
2006094257.tif 000007
【図６】
2006094257.tif 000008
【図７】
2006094257.tif 000009
【図８】
2006094257.tif 000010
【図９】
2006094257.tif 000011
【図１０】
2006094257.tif 000012
【図１１】
2006094257.tif 000013
【図１２】
2006094257.tif 000014
【図１３】
2006094257.tif 000015
【図１４】
2006094257.tif 000016
【図１５】
2006094257.tif 000017
【図１６】
2006094257.tif 000018
【図１７】
2006094257.tif 000019
【図１８】
2006094257.tif 000020
【図１９】
2006094257.tif 000021
【手続補正書】
【提出日】平成17年9月29日(2005.9.29)
【手続補正１】
【補正対象書類名】特許請求の範囲
【補正対象項目名】全文
【補正方法】変更
【補正の内容】
【特許請求の範囲】
【請求項１】
飛び越し走査映像信号を順次走査映像信号に変換する映像信号処理装置であって、
上記飛び越し走査映像信号をフィールド単位で遅延させるフィールド遅延手段と、
上記飛び越し走査映像信号の注目フィールドと、上記注目フィールドより１フレーム前のフィールドとの間の相関を検出し、この検出結果に基づくフレーム間の相関の強さを示す信号を出力する相関検出手段と、
上記フレーム間の相関の強さを示す信号に基づいて、上記飛び越し走査映像信号がテレシネ変換された映像信号のフィールドシーケンスの条件を満たすか否かを判断し、この判断結果に基づくテレシネシーケンス検出信号を生成して出力するシーケンス検出手段と、
上記フレーム間の相関の強さを示す信号に基づいて、上記テレシネ変換された映像信号のフィールドシーケンスの条件を満たすフィールドシーケンスの出現頻度を計測し、この計測結果に基づく予測制御信号を出力する出現頻度検出手段と、
上記テレシネシーケンス検出信号を上記予測制御信号により制御し、制御された結果であるテレシネ検出信号を出力する予測制御手段と、
上記飛び越し走査映像信号及び上記フィールド遅延手段で遅延した映像信号に基づいて複数種類の補間信号を生成し、上記テレシネ検出信号に基づいて上記複数種類の補間信号の内のいずれかを選択して出力する補間信号生成手段と、
上記飛び越し走査映像信号及び上記補間信号生成手段から出力された上記補間信号に基づいて上記順次走査映像信号を生成する変換手段と
を有することを特徴とする映像信号処理装置。
【請求項２】
上記相関検出手段から出力される上記フレーム間の相関の強さを示す信号は、上記飛び越し走査映像信号の注目フィールド内における所定の領域又はすべての領域の画素と、上記注目フィールドより１フレーム前のフィールドにおける同一位置の画素との間の差分値が所定の差分値判定用の閾値以上となる画素の数の累積値に対応する信号であることを特徴とする請求項１に記載の映像信号処理装置。
【請求項３】
上記シーケンス検出手段は、５フィールド分の上記フレーム間の相関の強さを示す信号により、２−３プルダウン方式でテレシネ変換された映像信号のフィールドシーケンスの条件を満たすか否かを判断し、この判断結果に応じた値を上記テレシネシーケンス検出信号として出力することを特徴とする請求項１又は２のいずれかに記載の映像信号処理装置。
【請求項４】
上記シーケンス検出手段は、
上記フレーム間の相関の強さを示す信号を所定の相関判定用の閾値と比較し、この比較結果に基づいて上記注目フィールドが静止画フィールド又は動画フィールドのいずれであるかを検出する静止画検出手段と、
上記静止画検出手段の検出結果に基づいて、動画フィールドを示すフィールドの連続数を検出する動画フィールドカウント手段と、
上記静止画検出手段の検出結果及び上記動画フィールドカウント手段の検出結果に基づいて、テレシネ変換された映像信号のフィールドシーケンスの位相を検出し、この位相を補間位相として出力するシーケンス位相検出手段と
を有することを特徴とする請求項３に記載の映像信号処理装置。
【請求項５】
上記シーケンス検出手段は、
上記静止画検出手段の検出結果、上記動画フィールドカウント手段の検出結果、及び上記フレーム間の相関の強さを示す信号に基づいて、上記飛び越し走査映像信号がテレシネ変換された映像信号のフィールドシーケンスの条件を満たさない場合を検出するテレシネ解除検出手段と、
上記静止画検出手段の検出結果、上記動画フィールドカウント手段の検出結果、及び上記テレシネ解除検出手段の検出結果に基づいて、上記テレシネシーケンス検出信号を生成して出力するテレシネシーケンス判定手段と
を有することを特徴とする請求項４に記載の映像信号処理装置。
【請求項６】
上記シーケンス位相検出手段は、
上記静止画検出手段の検出結果及び上記動画フィールドカウント手段の検出結果に基づいて、動画フィールドが４フィールド連続した後、静止画フィールドとなるフィールドのタイミングに同期して、５フィールド周期で繰り返す繰り返し信号を生成するテレシネシーケンス位相カウント手段と、
上記繰り返し信号に基づいて２−３プルダウン方式のテレシネ変換の変換位相を示す上記補間位相を生成して出力する補間位相フラグ生成手段と
を有することを特徴とする請求項４又は５のいずれかに記載の映像信号処理装置。
【請求項７】
上記テレシネ解除検出手段は、
上記静止画検出手段の検出結果及び上記動画フィールドカウント手段の検出結果に基づいて、動画フィールドが所定フィールド以上連続する場合を検出する動画連続検出手段と、
上記静止画検出手段の検出結果に基づいて、上記飛び越し走査映像信号における静止画フィールドを示すフィールドの連続数を検出する静止画連続検出手段と、
上記静止画連続検出手段により検出された静止画フィールド連続数が所定フィールド以上連続する場合を検出する連続フィールド数比較手段と、
上記静止画検出手段の検出結果、上記テレシネシーケンス位相カウント手段から出力される上記繰り返し信号、及び上記テレシネシーケンス検出信号に基づいて、上記飛び越し走査映像信号におけるシーケンス中の静止画フィールドの位相ずれを検出するシーケンスずれ検出手段と、
上記フレーム間の相関の強さを示す信号に基づいて、上記飛び越し走査映像信号におけるシーンチェンジの起こったフィールドを検出するシーンチェンジ検出手段と、
上記動画連続検出手段の検出結果、上記連続フィールド数比較手段の検出結果、上記シーケンスずれ検出手段の検出結果、及び上記シーンチェンジ検出手段の検出結果の内の少なくとも１つ以上の検出結果に基づいて、上記飛び越し走査映像信号がテレシネ変換された映像信号のフィールドシーケンスの条件を満たさない場合を判定し、上記テレシネシーケンス検出信号を、上記飛び越し走査映像信号がテレシネ変換された映像信号のフィールドシーケンスの条件を満たさないことを示す値にさせるための解除信号を出力する解除信号生成手段と
を有することを特徴とする請求項５に記載の映像信号処理装置。
【請求項８】
上記シーケンスずれ検出手段は、
上記静止画検出手段の検出結果、上記テレシネシーケンス位相カウント手段から出力される上記繰り返し信号、及び上記テレシネシーケンス検出信号に基づいて、テレシネ変換された映像信号のフィールドシーケンス内の所定フィールド位置において、上記静止画検出手段が検出した静止画フィールドの数をカウントするシーケンス内静止画カウント手段と、
上記シーケンス内静止画カウント手段から出力されたカウント値を所定の閾値と比較し、この比較結果に基づいて上記静止画フィールドの位相ずれを出力する静止画フィールド数比較手段と
を有ることを特徴とする請求項７記載の映像信号処理装置。
【請求項９】
上記シーンチェンジ検出手段は、上記フレーム間の相関の強さを示す信号が示す値を相関に関する所定の閾値と比較し、上記フレーム間の相関の強さを示す信号が示す値が上記相関に関する所定の閾値よりも小さいと判定されたときに、上記飛び越し走査映像信号におけるシーンチェンジの起こったフィールドを検出することを特徴とする請求項７記載の映像信号処理装置。
【請求項１０】
上記テレシネシーケンス判定手段は、
上記静止画検出手段の検出結果、上記動画フィールドカウント手段の検出結果、及び上記テレシネ解除検出手段の検出結果に基づいて、動画フィールドが４フィールド連続した後、静止画フィールドとなるフィールドシーケンスの連続数をカウントし、上記テレシネ解除検出手段からの解除信号に基づいて上記フィールドシーケンスの連続数のカウント値をリセットするテレシネ起動カウンタと、
上記テレシネ起動カウンタによる上記フィールドシーケンスの連続数のカウント値をフィールドシーケンスの連続数に関する所定の閾値と比較し、この比較結果を上記テレシネシーケンス検出信号として出力するシーケンス検出信号生成手段と
を有することを特徴とする請求項５または７に記載の映像信号処理装置。
【請求項１１】
上記出現頻度検出手段は、
５フィールド分の上記フレーム間の相関の強さを示す信号により、テレシネ変換された映像信号のフィールドシーケンスの条件を満たす場合を検出した回数をカウントするシーケンス判定回数検出手段と、
上記シーケンス判定回数検出手段によるテレシネ変換された映像信号のフィールドシーケンスの条件を満たす場合を検出した回数のカウント値を所定のシーケンス判定回数検出用の閾値と比較し、この比較結果をテレシネ変換された映像信号であることの確からしさ示す指標である上記予測制御信号として出力する確からしさ判定手段と
を有することを特徴とする請求項１に記載の映像信号処理装置。
【請求項１２】
上記シーケンス判定回数検出手段は、
５フィールド分の上記フレーム間の相関の強さを示す信号に基づき、所定の加算値及び減算値を用いた加減算を行い、テレシネ変換された映像信号のフィールドシーケンスの判定回数をカウントする出現頻度カウント手段を有することを特徴とする請求項１１に記載の映像信号処理装置。
【請求項１３】
上記出現頻度カウント手段は、
上記加算値及び上記減算値のそれぞれの値を設定するカウント値調整手段と、
上記出現頻度カウント手段におけるカウント値の最大値を設定する最大値設定手段と、
上記出現頻度カウント手段におけるカウントを初期化して所定の初期値を設定するカウント値初期化手段と
を有することを特徴とする請求項１２に記載の映像信号処理装置。
【請求項１４】
上記予測制御手段は、
上記予測制御信号に基づき上記フィールドシーケンスの出現頻度が所定の有効カウント値以上であるか否かを判定し、
上記フィールドシーケンスの出現頻度が上記有効カウント値以上であるときには上記テレシネシーケンス検出信号を上記テレシネ検出信号として出力し、
上記フィールドシーケンスの出現頻度が上記有効カウント値未満であるときには所定の固定値を上記テレシネ検出信号として出力する
ことを特徴とする請求項１から１３までのいずれかに記載の映像信号処理装置。
【請求項１５】
上記補間信号生成手段は、
動き適応補間処理に用いる第１の補間信号を生成して出力する動き適応補間処理手段と、
テレシネ変換された映像信号に対する補間処理に用いる第２の補間信号を生成して出力するテレシネ補間処理手段と、
上記予測制御手段から出力されるテレシネ検出信号に基づいて、上記第１の補間信号又は上記第２の補間信号のいずれかを選択して出力する選択手段と
を有することを特徴とする請求項１から１４までのいずれかに記載の映像信号処理装置。
【請求項１６】
飛び越し走査映像信号を順次走査映像信号に変換する映像信号処理方法であって、
上記飛び越し走査映像信号をフィールド単位で遅延させるステップと、
上記飛び越し走査映像信号の注目フィールドと、上記注目フィールドより１フレーム前のフィールドとの間の相関を検出し、フレーム間の相関の強さを示す信号を出力するステップと、
上記フレーム間の相関の強さを示す信号に基づいて、上記飛び越し走査映像信号がテレシネ変換された映像信号のフィールドシーケンスの条件を満たすか否かを判断し、この判断結果に基づくテレシネシーケンス検出信号を生成して出力するステップと、
上記フレーム間の相関の強さを示す信号に基づいて、上記テレシネ変換された映像信号のフィールドシーケンスの条件を満たすフィールドシーケンスの出現頻度を計測し、この計測結果に基づく予測制御信号を出力するステップと、
上記テレシネシーケンス検出信号を上記予測制御信号により制御し、制御された結果であるテレシネ検出信号を出力するステップと、
上記テレシネ検出信号に基づいて上記飛び越し走査映像信号及び上記遅延した飛び越し走査映像信号に基づいて生成される複数種類の補間走査線信号の内からいずれかを選択して出力するステップと、
上記飛び越し走査映像信号及び上記選択された補間走査線信号に基づいて、上記順次走査映像信号を生成するステップと
を有することを特徴とする映像信号処理方法。
【請求項１７】
請求項１から１５までのいずれか１項に記載の映像信号処理装置と、
映像を表示する表示手段と、
上記映像信号処理装置から出力された上記順次走査の映像信号に基づく映像を上記表示手段に表示させる表示処理回路と
を有することを特徴とする映像信号表示装置。
【手続補正２】
【補正対象書類名】明細書
【補正対象項目名】００１１
【補正方法】変更
【補正の内容】
【００１１】
本発明の映像信号処理装置は、飛び越し走査映像信号を順次走査映像信号に変換する映像信号処理装置であって、上記飛び越し走査映像信号をフィールド単位で遅延させるフィールド遅延手段と、上記飛び越し走査映像信号の注目フィールドと、上記注目フィールドより１フレーム前のフィールドとの間の相関を検出し、この検出結果に基づくフレーム間の相関の強さを示す信号を出力する相関検出手段と、上記フレーム間の相関の強さを示す信号に基づいて、上記飛び越し走査映像信号がテレシネ変換された映像信号のフィールドシーケンスの条件を満たすか否かを判断し、この判断結果に基づくテレシネシーケンス検出信号を生成して出力するシーケンス検出手段と、上記フレーム間の相関の強さを示す信号に基づいて、上記テレシネ変換された映像信号のフィールドシーケンスの条件を満たすフィールドシーケンスの出現頻度を計測し、この計測結果に基づく予測制御信号を出力する出現頻度検出手段と、上記テレシネシーケンス検出信号を上記予測制御信号により制御し、制御された結果であるテレシネ検出信号を出力する予測制御手段と、上記飛び越し走査映像信号及び上記フィールド遅延手段で遅延した映像信号に基づいて複数種類の補間信号を生成し、上記テレシネ検出信号に基づいて上記複数種類の補間信号の内のいずれかを選択して出力する補間信号生成手段と、上記飛び越し走査映像信号及び上記補間信号生成手段から出力された上記補間信号に基づいて上記順次走査映像信号を生成する変換手段とを有するものである。
【手続補正３】
【補正対象書類名】明細書
【補正対象項目名】００１２
【補正方法】変更
【補正の内容】
【００１２】
また、本発明の映像信号処理方法は、飛び越し走査映像信号を順次走査映像信号に変換する映像信号処理方法であって、上記飛び越し走査映像信号をフィールド単位で遅延させるステップと、上記飛び越し走査映像信号の注目フィールドと、上記注目フィールドより１フレーム前のフィールドとの間の相関を検出し、フレーム間の相関の強さを示す信号を出力するステップと、上記フレーム間の相関の強さを示す信号に基づいて、上記飛び越し走査映像信号がテレシネ変換された映像信号のフィールドシーケンスの条件を満たすか否かを判断し、この判断結果に基づくテレシネシーケンス検出信号を生成して出力するステップと、上記フレーム間の相関の強さを示す信号に基づいて、上記テレシネ変換された映像信号のフィールドシーケンスの条件を満たすフィールドシーケンスの出現頻度を計測し、この計測結果に基づく予測制御信号を出力するステップと、上記テレシネシーケンス検出信号を上記予測制御信号により制御し、制御された結果であるテレシネ検出信号を出力するステップと、上記テレシネ検出信号に基づいて上記飛び越し走査映像信号及び上記遅延した飛び越し走査映像信号に基づいて生成される複数種類の補間走査線信号の内からいずれかを選択して出力するステップと、上記飛び越し走査映像信号及び上記選択された補間走査線信号に基づいて、上記順次走査映像信号を生成するステップとを有するものである。
【手続補正４】
【補正対象書類名】明細書
【補正対象項目名】００６４
【補正方法】変更
【補正の内容】
【００６４】
テレシネシーケンス判定手段１４２には、第１の静止画検出手段２１ａからのフィールドの静止画検出結果ｓｔｌ１と、動画フィールドカウンタ２２からの前フィールドまでの動画連続数ｍｖｆと、テレシネ解除検出手段１４３による解除信号ｒｓｔとが入力される。テレシネシーケンス判定手段１４２は、テレシネシーケンスの繰り返し条件を検出し、テレシネシーケンスであるか否かを判定して、シーケンス検出結果を示すテレシネシーケンス検出信号ｔｃｉ０を出力する。以下に、テレシネシーケンス判定手段１４２を構成する各ブロックについて説明する。
【手続補正５】
【補正対象書類名】明細書
【補正対象項目名】００７７
【補正方法】変更
【補正の内容】
【００７７】
これは、５フィールドに一度の静止画の位置において、静止画検出結果ｓｔｌ１＝１（静止画）であるときは、上記のシーケンス条件のひとつである動画連続数ｍｖｆ＝‘４’でなくてもテレシネシーケンス中である場合（テレシネシーケンス中の静止画から動画への切り換えなど）が考えられ、テレシネシーケンスであるか否かどちらにも判定できない場合が存在するためである。５フィールドに一度の静止画の位置において、静止画検出結果ｓｔｌ１＝０（動画）となる場合のみをテレシネシーケンスと判定しないようにすることで、上記の条件を減算の対象からはずし、カウント値ｔｃの加減算を行わないようにすることもできる。
【手続補正６】
【補正対象書類名】明細書
【補正対象項目名】０１３９
【補正方法】変更
【補正の内容】
【０１３９】
以上説明したように、実施の形態１の映像信号処理装置又は映像信号処理方法によれば、順次入力されるインターレース映像信号Ｉａが５フィールドのテレシネシーケンスの繰り返し条件を満たすか否かを検出すると共に、テレシネシーケンスの繰り返し条件を満たすフィールドシーケンスの出現頻度を計測し、これらの結果ｔｃｉ０及びｔｃｉｆｌｇに基づいて映像信号がテレシネ変換されたものであるか否かを示すテレシネ検出信号ｔｃｉを出力するようにしている。このように、映像信号Ｉａがテレシネシーケンスの繰り返し条件を満たすか否かの検出結果ｔｃｉ０に加え、比較的長い期間（フィールド）にわたって監視した結果であり、テレシネ変換された映像信号であることの確からしさを示す指標としての意味を持つフィールドシーケンスの出現頻度フラグｔｃｉｆｌｇに基づいたテレシネ検出信号ｔｃｉを出力するようにしているので、テレシネ検出信号ｔｃｉの信頼度が向上している。したがって、実施の形態１の映像信号処理装置又は映像信号処理方法によれば、テレシネ検出信号ｔｃｉの信頼度の向上によって、テレシネ検出信号ｔｃｉに基づいて選択される補間走査線信号Ｉｍ又はＩｔを適切に選択することができる（例えば、編集点が頻繁に存在し、テレシネシーケンスの不連続が頻繁に起こる映像信号に対しテレシネ映像信号らしくないと判定してテレシネ検出信号ｔｃｉをテレシネ映像信号ではないとする（ｔｃｉ＝０）よう制御できるので、例えば、一時的にテレシネシーケンスの条件を満たしても、テレシネ補間をしないように制御することができる。）。このため、テレシネ変換された映像信号の途中でテレシネ変換された映像信号以外の信号が混在する場合等において発生することがあるコーミング現象による画質劣化の発生頻度を低減し、テレシネ変換された映像信号を良好なプログレッシブ映像信号Ｐｒｏｇに変換することができる。
【手続補正７】
【補正対象書類名】明細書
【補正対象項目名】０１４７
【補正方法】変更
【補正の内容】
【０１４７】
図１９は、本発明の実施の形態２による映像信号表示装置の構成を示すブロック図である。図１９において、図１の構成と同一又は対応する構成には、同じ符号を付す。図１９に示されるように、実施の形態２の映像信号表示装置は、上記実施の形態１の映像信号処理装置（図１参照）の構成に加え、入力端子２００と、入力信号処理手段２０１と、表示処理手段２０２と、表示手段２０３とを設け、ＩＰ変換した後のプログレッシブ映像信号Ｐｒｏｇを表示するように構成したものである。これら入力端子２００、入力信号処理手段２０１、表示処理手段２０２、及び表示手段２０３に関する部分以外の構成及び動作は、上記実施の形態１に示されるものと同じである。
【手続補正書】
【提出日】平成17年12月22日(2005.12.22)
【手続補正１】
【補正対象書類名】特許請求の範囲
【補正対象項目名】全文
【補正方法】変更
【補正の内容】
【特許請求の範囲】
【請求項１】
飛び越し走査映像信号から補間走査線を順次走査映像信号に変換する映像信号処理装置であって、
上記飛び越し走査映像信号をフィールド単位で遅延させるフィールド遅延手段と、
上記飛び越し走査映像信号の注目フィールドと、上記注目フィールドより１フレーム前のフィールドとの間の相関を検出し、この検出結果に基づくフレーム間の相関の強さ示す信号を出力する相関検出手段と、
上記フレーム間の相関の強さ示す信号により、上記飛び越し走査映像信号がテレシネ変換された映像信号のフィールドシーケンスの条件を満たすか否かを判断し、この判断結果から、上記飛び越し走査映像信号において、テレシネ映像信号におけるフィールドシーケンスが検出されたか否かを示すテレシネシーケンス検出信号と、同一フレームからテレシネ変換されたフィールドの時間方向を示す補間位相を出力するシーケンス検出手段と、
上記フレーム間の相関の強さ示す信号により、上記テレシネ変換された映像信号のフィールドシーケンスの条件を満たすフィールドシーケンスの出現頻度を計測し、この計測した出現頻度を示すカウント値が所定の有効カウント値以上のときには上記飛び越し走査映像信号がテレシネ変換された映像信号であると判定し、前記出現頻度を示すカウント値が前記有効カウント値未満のときにはテレシネ映像信号らしくないと判定した結果を示す予測制御信号を出力する出現頻度検出手段と、
上記予測制御信号が上記飛び越し走査映像信号をテレシネ変換された映像信号であると判定したことを示すときは、上記テレシネシーケンス検出手段から出力された上記テレシネシーケンス検出信号を選択して出力し、上記予測制御信号が上記飛び越し走査映像信号をテレシネ映像信号らしくないと判定したことを示すときは、テレシネ映像信号におけるフィールドシーケンスが検出されないことを示す信号を選択してテレシネ検出信号として出力する予測制御手段と、
上記飛び越し走査映像信号及び上記フィールド遅延手段で遅延した映像信号から第１の補間信号を生成し、上記補間位相で示されるフィールドの時間方向により、上記飛び越し走査映像信号の注目フィールドに対し前もしくは後に位置するフィールドの信号から第２の補間信号を生成して、上記予測制御手段から出力される上記テレシネ検出信号が上記テレシネシーケンス検出手段から出力された上記テレシネシーケンス検出信号であるときには上記第２の補間信号を出力し、上記予測制御手段から出力される上記テレシネ検出信号が上記テレシネ映像信号におけるフィールドシーケンスが検出されないことを示す信号であるときには上記第１の補間信号を出力する補間信号生成手段と、
上記飛び越し走査映像信号及び上記補間信号生成手段から出力された上記補間信号を切り換えて上記順次走査し映像信号を生成する変換手段と
を有することを特徴とする映像信号処理装置。
【請求項２】
上記相関検出手段から出力される上記フレーム間の相関の強さを示す信号は、上記飛び越し走査映像信号の注目フィールド内における所定の領域又はすべての領域の画素と、上記注目フィールドより１フレーム前のフィールドにおける同一位置の画素との間の差分値が所定の差分値判定用の閾値以上となる画素の数の累積値に対応する信号であることを特徴とする請求項１に記載の映像信号処理装置。
【請求項３】
上記シーケンス検出手段は、５フィールド分の上記フレーム間の相関の強さ示す信号により、２−３プルダウン方式でテレシネ変換された映像信号のフィールドシーケンスの条件満たすか否かを判断し、この判断結果に応じた値を上記テレシネシーケンス検出信号として出力するとともに、
５フィールド分の上記フレーム間の相関の強さ示す信号により、２−３プルダウン方式でテレシネ変換された映像信号において、同一フレームからテレシネ変換された前もしくは後の隣接フィールドの方向を示す値を上記補間位相として出力する
ことを特徴とする請求項１又は２のいずれかに記載の映像信号処理装置。
【請求項４】
上記シーケンス検出手段は、
上記フレーム間の相関の強さ示す信号を所定の相関判定用の閾値と比較し、この比較結果から上記注目フィールドが静止画フィールド又は動画フィールドのいずれであるかを検出する静止画検出手段と、
上記静止画検出手段の検出結果により、動画フィールドを示すフィールドの連続数を検出する動画フィールドカウント手段と、
上記静止画検出手段の検出結果及び上記動画フィールドカウント手段の検出結果により、テレシネ変換された映像信号における同一フレームからテレシネ変換された前もしくは後の隣接フィールドの方向を検出し、この検出されたフィールドの方向を示す値を上記補間位相として出力するシーケンス位相検出手段と、
を有することを特徴とする請求項３記載の映像信号処理装置。
【請求項５】
上記シーケンス検出手段は、
上記静止画検出手段の検出結果、上記動画フィールドカウント手段の検出結果、及び上記フレーム間の相関の強さを示す信号に基づいて、上記飛び越し走査映像信号がテレシネ変換された映像信号のフィールドシーケンスの条件を満たさない場合を検出するテレシネ解除検出手段と、
上記静止画検出手段の検出結果、上記動画フィールドカウント手段の検出結果、及び上記テレシネ解除検出手段の検出結果に基づいて、上記テレシネシーケンス検出信号を生成して出力するテレシネシーケンス判定手段と
を有することを特徴とする請求項４に記載の映像信号処理装置。
【請求項６】
上記シーケンス位相検出手段は、
上記静止画検出手段の検出結果及び上記動画フィールドカウント手段の検出結果により、
テレシネ変換された映像信号のフィールドシーケンスの条件である動画フィールドが４フィールド連続した後、静止画フィールドとなるフィールドのタイミングに同期して、テレシネ変換された映像信号のフィールドシーケンスである５フィールド周期で繰り返す繰り返し信号を生成するテレシネシーケンス位相カウント手段と、
上記繰り返し信号から、２−３プルダウン方式でテレシネ変換された映像信号における同一フレームからテレシネ変換された前もしくは後の隣接フィールドの方向を示す値を上記補間位相として生成して出力する補間位相フラグ生成手段と
を有することを特徴とする請求項４又は５のいずれかに記載の映像信号処理装置。
【請求項７】
上記テレシネ解除検出手段は、
上記静止画検出手段の検出結果及び上記動画フィールドカウント手段の検出結果に基づいて、動画フィールドが所定フィールド以上連続する場合を検出する動画連続検出手段と、
上記静止画検出手段の検出結果に基づいて、上記飛び越し走査映像信号における静止画フィールドを示すフィールドの連続数を検出する静止画連続検出手段と、
上記静止画連続検出手段により検出された静止画フィールド連続数が所定フィールド以上連続する場合を検出する連続フィールド数比較手段と、
上記静止画検出手段の検出結果、上記テレシネシーケンス位相カウント手段から出力される上記繰り返し信号、及び上記テレシネシーケンス検出信号に基づいて、上記飛び越し走査映像信号におけるシーケンス中の静止画フィールドの位相ずれを検出するシーケンスずれ検出手段と、
上記フレーム間の相関の強さを示す信号に基づいて、上記飛び越し走査映像信号におけるシーンチェンジの起こったフィールドを検出するシーンチェンジ検出手段と、
上記動画連続検出手段の検出結果、上記連続フィールド数比較手段の検出結果、上記シーケンスずれ検出手段の検出結果、及び上記シーンチェンジ検出手段の検出結果の内の少なくとも１つ以上の検出結果に基づいて、上記飛び越し走査映像信号がテレシネ変換された映像信号のフィールドシーケンスの条件を満たさない場合を判定し、上記テレシネシーケンス検出信号を、上記飛び越し走査映像信号がテレシネ変換された映像信号のフィールドシーケンスの条件を満たさないことを示す値にさせるための解除信号を出力する解除信号生成手段と
を有することを特徴とする請求項５に記載の映像信号処理装置。
【請求項８】
上記シーケンスずれ検出手段は、
上記静止画検出手段の検出結果、上記テレシネシーケンス位相カウント手段から出力される上記５フィールド周期で繰り返す繰り返し信号、及び上記テレシネシーケンス検出信号により、テレシネ変換された映像信号のフィールドシーケンス内の所定フィールド位置において、上記静止画検出手段が検出した静止画フィールドの数をカウントするシーケンス内静止画カウント手段と、
上記シーケンス内静止画カウント手段から出力されたカウント値を所定の閾値と比較し、カウント値が所定の閾値以上の場合に、フィールドシーケンス内の所定フィールド位置以外に静止画フィールドの存在を検出して、テレシネ変換のシーケンス位相のずれを検出したことを示す信号を出力する静止画フィールド数比較手段と
を有することを特徴とする請求項７記載の映像信号処理装置。
【請求項９】
上記シーンチェンジ検出手段は、上記フレーム間の相関の強さを示す信号が示す値を相関に関する所定の閾値と比較し、上記フレーム間の相関の強さを示す信号が示す値が上記相関に関する所定の閾値よりも小さいと判定されたときに、上記飛び越し走査映像信号におけるシーンチェンジの起こったフィールドを検出することを特徴とする請求項７記載の映像信号処理装置。
【請求項１０】
上記テレシネシーケンス判定手段は、
上記静止画検出手段の検出結果、上記動画フィールドカウント手段の検出結果、及び上記テレシネ解除検出手段の検出結果により、
テレシネ変換された映像信号のフィールドシーケンスの条件である動画フィールドが４フィールド連続した後、静止画フィールドとなるフィールドシーケンスの連続数をカウントし、上記テレシネ解除検出手段からの解除信号により、上記フィールドシーケンスの連続数のカウント値をリセットするテレシネ起動カウンタと、
上記テレシネ起動カウンタによる上記フィールドシーケンスの連続数のカウント値をフィールドシーケンスの連続数に関する所定の閾値と比較し、上記フィールドシーケンスの連続数のカウント値が上記フィールドシーケンスの連続数に関する所定の閾値以上となる場合、テレシネ変換された映像信号のフィールドシーケンスが連続して検出されたことを示す値を、上記テレシネシーケンス検出信号として出力するシーケンス検出信号生成手段と
を有することを特徴とする請求項５または７に記載の映像信号処理装置。
【請求項１１】
上記出現頻度検出手段は、
５フィールド分の上記フレーム間の相関の強さ示す信号により、テレシネ変換された映像信号のフィールドシーケンスの条件満たす場合を検出した回数をカウントするシーケンス判定回数検出手段と、
上記シーケンス判定回数検出手段によるテレシネ変換された映像信号のフィールドシーケンスの条件満たす場合を検出した回数のカウント値を所定の値と比較して、テレシネ変換された映像信号であるか、テレシネ映像信号らしくないかを判定し、テレシネ変換された映像信号であることの確からしさを示す指標である上記予測制御信号として出力する確からしさ判定手段と
を有することを特徴とする請求項１に記載の映像信号処理装置。
【請求項１２】
上記シーケンス判定回数検出手段は、
５フィールド分の上記フレーム間の相関の強さ示す信号により、テレシネ変換された映像信号のフィールドシーケンスである５フィールドごとで、テレシネ変換された映像信号のフィールドシーケンスが判定される場合は所定の加算値を加算し、フィールドシーケンスを示さない場合は所定の減算値を減算することによる加減算を行い、テレシネ変換された映像信号のフィールドシーケンスの判定回数をカウントする出現頻度カウント手段を
有することを特徴とする請求項１１に記載の映像信号処理装置。
【請求項１３】
上記出現頻度カウント手段は、
上記加算値及び上記減算値のそれぞれの値を設定するカウント値調整手段と、
上記出現頻度カウント手段におけるカウント値の最大値を設定する最大値設定手段と、
上記出現頻度カウント手段におけるカウントを初期化して所定の初期値を設定するカウント値初期化手段と
を有することを特徴とする請求項１２に記載の映像信号処理装置。
【請求項１４】
上記補間信号生成手段は、
上記飛び越し走査映像信号及び上記フィールド遅延手段で遅延した映像信号補間により、注目フィールドの映像信号と注目フィールドの隣接フィールドにおける映像信号からの演算処理により第１の補間信号を生成する補間処理手段と、
上記シーケンス検出手段から出力される上記補間位相で示されるフィールドの方向により、上記飛び越し走査映像信号の注目フィールドに対し１フィールド前または１フィールド後の映像信号を切り換えて第２の補間信号を生成するテレシネ補間処理手段と、
上記予測制御手段から出力されるテレシネ検出信号により、上記テレシネ検出信号がテレシネ変換された映像信号であることを示す場合は、上記テレシネ補間処理手段による第２の補間信号を選択し、テレシネ変換された映像信号でないことを示す場合は、上記補間処理手段による第１の補間信号を選択して出力する選択手段と
を有することを特徴とする請求項１から１３までのいずれかに記載の映像信号処理装置。
【請求項１５】
飛び越し走査の映像信号を順次走査映像信号に変換する映像信号処理方法であって、
上記飛び越し走査映像信号をフィールド単位で遅延させるステップと、
上記飛び越し走査映像信号の注目フィールドと、上記注目フィールドより１フレーム前のフィールドとの間の相関を検出し、フレーム間の相関の強さ示す信号を出力するステップと、
上記フレーム間の相関の強さ示す信号により、上記飛び越し走査映像信号がテレシネ変換された映像信号のフィールドシーケンスの条件を満たすか否かを判断し、この判断結果から、上記飛び越し走査映像信号において、テレシネ映像信号におけるフィールドシーケンスが検出されたか否かを示すテレシネシーケンス検出信号と、同一フレームからテレシネ変換されたフィールドの時間方向を示す補間位相を出力するステップと、
上記フレーム間の相関の強さ示す信号により、上記テレシネ変換された映像信号のフィールドシーケンスの条件を満たすフィールドシーケンスの出現頻度を計測し、この計測した出現頻度を示すカウント値が所定の有効カウント値以上のときには上記飛び越し走査映像信号がテレシネ変換された映像信号であると判定し、前記出現頻度を示すカウント値が前記有効カウント値未満のときにはテレシネ映像信号らしくないと判定した結果を示す予測制御信号を出力するステップと、
上記予測制御信号が上記飛び越し走査映像信号をテレシネ変換された映像信号であると判定したことを示すときは、上記テレシネシーケンス検出信号を選択して出力し、上記予測制御信号が上記飛び越し走査映像信号をテレシネ映像信号らしくないと判定したことを示すときは、テレシネ映像信号におけるフィールドシーケンスが検出されないことを示す信号を選択してテレシネ検出信号として出力するステップと、
上記飛び越し走査映像信号及び上記フィールド遅延した映像信号から第１の補間信号を生成し、上記補間位相で示されるフィールドの時間方向により、上記飛び越し走査映像信号の注目フィールドに対し前もしくは後に位置するフィールドの信号から第２の補間信号を生成して、上記選択して出力される上記テレシネ検出信号が上記テレシネシーケンス検出手段から出力された上記テレシネシーケンス検出信号であるときには上記第２の補間信号を出力し、上記選択して出力される上記テレシネ検出信号が上記テレシネ映像信号におけるフィールドシーケンスが検出されないことを示す信号であるときには上記第１の補間信号を出力するステップと、
上記飛び越し走査映像信号及び上記選択された補間信号を切り換えて、上記順次走査映像信号を生成するステップと
を有することを特徴とする映像信号処理方法。
【請求項１６】
請求項１から１４までのいずれか１項に記載の映像信号処理装置と、
映像を表示する表示手段と、
上記映像信号処理装置から出力された上記順次走査の映像信号に基づく映像を上記表示手段に表示させる表示処理回路と
を有することを特徴とする映像信号表示装置。
【手続補正２】
【補正対象書類名】明細書
【補正対象項目名】００１１
【補正方法】変更
【補正の内容】
【００１１】
本発明の映像信号処理装置は、飛び越し走査映像信号から補間走査線を順次走査映像信号に変換する映像信号処理装置であって、上記飛び越し走査映像信号をフィールド単位で遅延させるフィールド遅延手段と、上記飛び越し走査映像信号の注目フィールドと、上記注目フィールドより１フレーム前のフィールドとの間の相関を検出し、この検出結果に基づくフレーム間の相関の強さ示す信号を出力する相関検出手段と、上記フレーム間の相関の強さ示す信号により、上記飛び越し走査映像信号がテレシネ変換された映像信号のフィールドシーケンスの条件を満たすか否かを判断し、この判断結果から、上記飛び越し走査映像信号において、テレシネ映像信号におけるフィールドシーケンスが検出されたか否かを示すテレシネシーケンス検出信号と、同一フレームからテレシネ変換されたフィールドの時間方向を示す補間位相を出力するシーケンス検出手段と、上記フレーム間の相関の強さ示す信号により、上記テレシネ変換された映像信号のフィールドシーケンスの条件を満たすフィールドシーケンスの出現頻度を計測し、この計測した出現頻度を示すカウント値が所定の有効カウント値以上のときには上記飛び越し走査映像信号がテレシネ変換された映像信号であると判定し、前記出現頻度を示すカウント値が前記有効カウント値未満のときにはテレシネ映像信号らしくないと判定した結果を示す予測制御信号を出力する出現頻度検出手段と、上記予測制御信号が上記飛び越し走査映像信号をテレシネ変換された映像信号であると判定したことを示すときは、上記テレシネシーケンス検出手段から出力された上記テレシネシーケンス検出信号を選択して出力し、上記予測制御信号が上記飛び越し走査映像信号をテレシネ映像信号らしくないと判定したことを示すときは、テレシネ映像信号におけるフィールドシーケンスが検出されないことを示す信号を選択してテレシネ検出信号として出力する予測制御手段と、上記飛び越し走査映像信号及び上記フィールド遅延手段で遅延した映像信号から第１の補間信号を生成し、上記補間位相で示されるフィールドの時間方向により、上記飛び越し走査映像信号の注目フィールドに対し前もしくは後に位置するフィールドの信号から第２の補間信号を生成して、上記予測制御手段から出力される上記テレシネ検出信号が上記テレシネシーケンス検出手段から出力された上記テレシネシーケンス検出信号であるときには上記第２の補間信号を出力し、上記予測制御手段から出力される上記テレシネ検出信号が上記テレシネ映像信号におけるフィールドシーケンスが検出されないことを示す信号であるときには上記第１の補間信号を出力する補間信号生成手段と、上記飛び越し走査映像信号及び上記補間信号生成手段から出力された上記補間信号を切り換えて上記順次走査し映像信号を生成する変換手段とを有するものである。
【手続補正３】
【補正対象書類名】明細書
【補正対象項目名】００１２
【補正方法】変更
【補正の内容】
【００１２】
また、本発明の映像信号処理方法は、飛び越し走査の映像信号を順次走査映像信号に変換する映像信号処理方法であって、上記飛び越し走査映像信号をフィールド単位で遅延させるステップと、上記飛び越し走査映像信号の注目フィールドと、上記注目フィールドより１フレーム前のフィールドとの間の相関を検出し、フレーム間の相関の強さ示す信号を出力するステップと、上記フレーム間の相関の強さ示す信号により、上記飛び越し走査映像信号がテレシネ変換された映像信号のフィールドシーケンスの条件を満たすか否かを判断し、この判断結果から、上記飛び越し走査映像信号において、テレシネ映像信号におけるフィールドシーケンスが検出されたか否かを示すテレシネシーケンス検出信号と、同一フレームからテレシネ変換されたフィールドの時間方向を示す補間位相を出力するステップと、上記フレーム間の相関の強さ示す信号により、上記テレシネ変換された映像信号のフィールドシーケンスの条件を満たすフィールドシーケンスの出現頻度を計測し、この計測した出現頻度を示すカウント値が所定の有効カウント値以上のときには上記飛び越し走査映像信号がテレシネ変換された映像信号であると判定し、前記出現頻度を示すカウント値が前記有効カウント値未満のときにはテレシネ映像信号らしくないと判定した結果を示す予測制御信号を出力するステップと、上記予測制御信号が上記飛び越し走査映像信号をテレシネ変換された映像信号であると判定したことを示すときは、上記テレシネシーケンス検出信号を選択して出力し、上記予測制御信号が上記飛び越し走査映像信号をテレシネ映像信号らしくないと判定したことを示すときは、テレシネ映像信号におけるフィールドシーケンスが検出されないことを示す信号を選択してテレシネ検出信号として出力するステップと、上記飛び越し走査映像信号及び上記フィールド遅延した映像信号から第１の補間信号を生成し、上記補間位相で示されるフィールドの時間方向により、上記飛び越し走査映像信号の注目フィールドに対し前もしくは後に位置するフィールドの信号から第２の補間信号を生成して、上記選択して出力される上記テレシネ検出信号が上記テレシネシーケンス検出手段から出力された上記テレシネシーケンス検出信号であるときには上記第２の補間信号を出力し、上記選択して出力される上記テレシネ検出信号が上記テレシネ映像信号におけるフィールドシーケンスが検出されないことを示す信号であるときには上記第１の補間信号を出力するステップと、上記飛び越し走査映像信号及び上記選択された補間信号を切り換えて、上記順次走査映像信号を生成するステップとを有するものである。